(57)【要約】【課題】顧客が株式売買履歴を参照しつつ注文条件を設定できるようにする。【解決手段】注文処理装置１００は、顧客が過去に売買した株式の銘柄識別情報を、当該株式の売買日時及び当該顧客の顧客識別情報に対応付けて格納する売買履歴ＤＢ１１２と、顧客の端末装置１０から銘柄選択画面の送信要求を受け取ると当該顧客の顧客識別情報に対応付けて売買履歴ＤＢ１１２に格納されている銘柄識別情報及び売買日時に基づき、顧客が過去に売買した株式の銘柄識別情報を売買日時順に表す表示欄を有する銘柄選択画面を生成して顧客の端末装置１０に表示させる銘柄選択画面データ送信部１１０と、銘柄選択画面で顧客により選択された銘柄識別情報と注文入力画面の送信要求を顧客の端末装置１０から受け取り、受け取った銘柄識別情報が予め入力された注文入力画面を顧客の端末装置１０に表示させる注文入力画面データ送信部１２０とを有する。【選択図】図２
2007272522.tif 000002
【特許請求の範囲】
【請求項１】
株式売買注文の注文条件を入力するための注文入力画面を顧客の端末装置に表示させ、当該注文入力画面に入力された前記株式売買注文の注文条件を前記顧客の端末装置から受け取り、受け取った前記株式売買注文の注文条件を証券取引所に送信することにより前記株式売買注文の発注処理を行う注文処理装置において、
前記顧客が過去に売買した株式の銘柄識別情報を、当該株式を売買した売買日時及び当該顧客を識別するための顧客識別情報に対応付けて格納する売買履歴格納部と、
銘柄選択画面の送信要求と前記顧客の顧客識別情報を前記顧客の端末装置から受け取り、受け取った前記顧客識別情報に対応付けて前記売買履歴格納部に格納されている前記銘柄識別情報及び前記売買日時に基づいて前記顧客が過去に売買した株式の銘柄識別情報を前記売買日時順に表す表示欄を有する銘柄選択画面を前記端末装置に表示するための銘柄選択画面データを生成し、生成した当該銘柄選択画面データを前記顧客の端末装置に送信して前記銘柄選択画面を表示させる銘柄選択画面データ送信部と、
前記顧客の端末装置に表示された前記銘柄選択画面における前記表示欄の前記銘柄識別情報から前記顧客により選択された銘柄識別情報と注文入力画面の送信要求を前記顧客の端末装置から受け取り、受け取った当該銘柄識別情報が予め入力された前記注文入力画面を前記端末装置に表示するための注文入力画面データを生成し、生成した当該注文入力画面データを前記顧客の端末装置に送信して前記注文入力画面を表示させる注文入力画面データ送信部と
を有することを特徴とする注文処理装置。
【請求項２】
株式売買注文の注文条件を入力するための注文入力画面を顧客の端末装置に表示させ、当該注文入力画面に入力された前記株式売買注文の注文条件を前記顧客の端末装置から受け取り、受け取った前記株式売買注文の注文条件を証券取引所に送信することにより前記株式売買注文の発注処理を行う注文処理装置において、
前記顧客が過去に売買した株式の銘柄識別情報を、当該株式を売買した売買回数及び当該顧客を識別するための顧客識別情報に対応付けて格納する売買履歴格納部と、
銘柄選択画面の送信要求と前記顧客の顧客識別情報を前記顧客の端末装置から受け取り、受け取った前記顧客識別情報に対応付けて前記売買履歴格納部に格納されている前記銘柄識別情報及び前記売買回数に基づいて前記顧客が過去に売買した株式の銘柄識別情報を前記売買回数順に表す表示欄を有する銘柄選択画面を前記端末装置に表示するための銘柄選択画面データを生成し、生成した当該銘柄選択画面データを前記顧客の端末装置に送信して前記銘柄選択画面を表示させる銘柄選択画面データ送信部と、
前記顧客の端末装置に表示された前記銘柄選択画面における前記表示欄の前記銘柄識別情報から前記顧客により選択された銘柄識別情報と注文入力画面の送信要求を前記顧客の端末装置から受け取り、受け取った当該銘柄識別情報が予め入力された前記注文入力画面を前記端末装置に表示するための注文入力画面データを生成し、生成した当該注文入力画面データを前記顧客の端末装置に送信して前記注文入力画面を表示させる注文入力画面データ送信部と
を有することを特徴とする注文処理装置。
【請求項３】
株式売買注文の注文条件を入力するための注文入力画面を顧客の端末装置に表示させ、当該注文入力画面に入力された前記株式売買注文の注文条件を前記顧客の端末装置から受け取り、受け取った前記株式売買注文の注文条件を証券取引所に送信することにより前記株式売買注文の発注処理を行う注文処理装置において、
前記顧客を識別するための顧客識別情報と個別株式の銘柄識別情報と個別株式情報の送信要求を前記顧客の端末装置から受け取り、個別株式の銘柄識別情報に対応付けて当該銘柄識別情報が示す銘柄の個別株式情報を格納するデータベースから前記受け取った銘柄識別情報に対応付けられた個別株式情報を読み出して前記顧客の端末装置に送信する個別株式情報送信部と、
前記顧客の端末装置から前記顧客の顧客識別情報及び個別株式情報の送信要求とともに受け取った前記個別株式の銘柄識別情報に対して前記データベースで対応付けされた前記個別株式情報を前記顧客の端末装置に送信する前記個別株式情報送信部が直近に前記個別株式情報を送信した個別株式の銘柄識別情報を、前記顧客の顧客識別情報に対応付けて格納する直近提供銘柄格納部と、
前記顧客が過去に売買した株式の銘柄識別情報を、当該株式を売買した売買日時及び当該顧客を識別するための顧客識別情報に対応付けて格納する売買履歴格納部と、
銘柄選択画面の送信要求と前記顧客の顧客識別情報を前記顧客の端末装置から受け取り、当該受け取った前記顧客識別情報に対応付けて前記売買履歴格納部に格納されている前記銘柄識別情報及び前記売買日時並びに当該受け取った前記顧客識別情報に対応付けて前記直近提供銘柄格納部に格納されている銘柄識別情報に基づき、前記顧客が過去に売買した株式の銘柄識別情報を前記売買日時順に表す第１の表示欄と前記顧客の端末装置に直近に送信された個別株式情報の銘柄を示す銘柄識別情報を表す第２の表示欄とを有する銘柄選択画面を前記端末装置に表示するための銘柄選択画面データを生成し、生成した当該銘柄選択画面データを前記顧客の端末装置に送信して前記銘柄選択画面を表示させる銘柄選択画面データ送信部と、
前記顧客の端末装置に表示された前記銘柄選択画面における前記第１又は第２の表示欄の銘柄識別情報から前記顧客により選択された銘柄識別情報と注文入力画面の送信要求を前記顧客の端末装置から受け取り、受け取った当該銘柄識別情報が予め入力された前記注文入力画面を前記端末装置に表示するための注文入力画面データを生成し、生成した当該注文入力画面データを前記顧客の端末装置に送信して前記注文入力画面を表示させる注文入力画面データ送信部と
を有することを特徴とする注文処理装置。
【請求項４】
株式売買注文の注文条件を入力するための注文入力画面を顧客の端末装置に表示させ、当該注文入力画面に入力された前記株式売買注文の注文条件を前記顧客の端末装置から受け取り、受け取った前記株式売買注文の注文条件を証券取引所に送信することにより前記株式売買注文の発注処理を行う注文処理装置において、
前記顧客を識別するための顧客識別情報と個別株式の銘柄識別情報と個別株式情報の送信要求を前記顧客の端末装置から受け取り、個別株式の銘柄識別情報に対応付けて当該銘柄識別情報が示す銘柄の個別株式情報を格納するデータベースから前記受け取った銘柄識別情報に対応付けられた個別株式情報を読み出して前記顧客の端末装置に送信する個別株式情報送信部と、
前記顧客の端末装置から前記顧客の顧客識別情報及び個別株式情報の送信要求とともに受け取った前記個別株式の銘柄識別情報に対して前記データベースで対応付けされた前記個別株式情報を前記顧客の端末装置に送信する前記個別株式情報送信部が直近に前記個別株式情報を送信した個別株式の銘柄識別情報を、前記顧客の顧客識別情報に対応付けて格納する直近提供銘柄格納部と、
前記顧客が過去に売買した株式の銘柄識別情報を、当該株式を売買した売買回数及び当該顧客を識別するための顧客識別情報に対応付けて格納する売買履歴格納部と、
銘柄選択画面の送信要求と前記顧客の顧客識別情報を前記顧客の端末装置から受け取り、当該受け取った前記顧客識別情報に対応付けて前記売買履歴格納部に格納されている前記銘柄識別情報及び前記売買回数並びに当該受け取った前記顧客識別情報に対応付けて前記直近提供銘柄格納部に格納されている銘柄識別情報に基づき、前記顧客が過去に売買した株式の銘柄識別情報を前記売買回数順に表す第１の表示欄と前記顧客の端末装置に直近に送信された個別株式情報の銘柄を示す銘柄識別情報を表す第２の表示欄を有する銘柄選択画面を前記端末装置に表示するための銘柄選択画面データを生成し、生成した当該銘柄選択画面データを前記顧客の端末装置に送信して前記銘柄選択画面を表示させる銘柄入力画面データ送信部と、
前記顧客の端末装置に表示された前記銘柄選択画面における前記第１又は第２の表示欄の銘柄識別情報から前記顧客により選択された銘柄識別情報と注文入力画面の送信要求を前記顧客の端末装置から受け取り、受け取った当該銘柄識別情報が予め入力された前記注文入力画面を前記端末装置に表示するための注文入力画面データを生成し、生成した当該注文入力画面データを前記顧客の端末装置に送信して前記注文入力画面を表示させる注文入力画面データ送信部と
を有することを特徴とする注文処理装置。
【請求項５】
株式売買注文の注文条件を入力するための入力画面を顧客の端末装置に表示させ、当該入力画面に入力された前記株式売買注文の注文条件を前記顧客の端末装置から受け取り、受け取った前記株式売買注文の注文条件を証券取引所に送信することにより前記株式売買注文の発注処理を行う注文処理装置において、
前記顧客の株式売買注文の注文条件を、当該株式売買注文を識別するための注文識別情報及び当該顧客を識別するための顧客識別情報に対応付けて格納する第１の売買履歴格納部と、
前記顧客が過去に売買した株式の銘柄識別情報を、当該株式を売買した売買回数及び当該顧客の顧客識別情報に対応付けて格納する第２の売買履歴格納部と、
前記入力画面の送信要求と前記顧客の顧客識別情報を前記顧客の端末装置から受け取り、受け取った前記顧客識別情報に対応付けて前記第２の売買履歴格納部に格納されている前記銘柄識別情報及び前記売買回数に基づき、売買回数が大きいほうの前記銘柄識別情報の銘柄を注文銘柄とする株式売買注文についての銘柄識別情報以外の注文条件の入力欄を有する前記入力画面を前記端末装置に表示するための入力画面データを生成し、生成した当該入力画面データを前記顧客の端末装置に送信して前記入力画面を表示させる画面データ送信部と、
前記入力画面の前記入力欄に前記顧客により入力された前記注文銘柄の株式売買注文の注文条件と当該注文銘柄の銘柄識別情報と発注要求と前記顧客の顧客識別情報を前記顧客の端末装置から受け取り、受け取った前記注文銘柄の株式売買注文の注文条件と当該注文銘柄の銘柄識別情報と当該株式売買注文の注文識別情報を前記顧客の顧客識別情報に対応付けて前記第１の売買履歴格納部に格納するとともに、受け取った前記注文銘柄の株式売買注文の注文条件と当該注文銘柄の銘柄識別情報と当該株式売買注文の注文識別情報を証券取引所に送信することにより前記株式売買注文の発注処理を行う発注処理部と
を有し、
前記発注処理部は、前記株式売買注文が約定したことを示す約定成立通知であって当該株式売買注文の注文識別情報を含む約定成立通知を前記証券取引所から受け取った場合に、当該株式売買注文の注文識別情報に対応付けて前記第１の売買履歴格納部に格納されている顧客識別情報及び銘柄識別情報を用いて、当該顧客識別情報及び銘柄識別情報に対応付けて前記第２の売買履歴格納部に格納されている売買回数に対して１回加算することにより前記第２の売買履歴格納部の前記売買回数を更新する
ことを特徴とする注文処理装置。
【請求項６】
前記画面データ送信部は、株式売買注文の売買区分と前記入力画面の送信要求と前記顧客の顧客識別情報を前記顧客の端末装置から受け取り、受け取った前記顧客識別情報に対応付けて前記第２の売買履歴格納部に格納されている前記銘柄識別情報及び前記売買回数に基づき、売買回数が大きいほうの前記銘柄識別情報の銘柄を注文銘柄とする前記売買区分の株式売買注文についての売買区分及び銘柄識別情報以外の注文条件の入力欄を有する前記入力画面を前記端末装置に表示するための入力画面データを生成し、生成した当該入力画面データを前記顧客の端末装置に送信して前記入力画面を表示させ、
前記発注処理部は、前記入力画面の前記入力欄に前記顧客により入力された前記注文銘柄の株式売買注文の注文条件と当該株式売買注文の売買区分及び銘柄識別情報と発注要求と前記顧客の顧客識別情報を前記顧客の端末装置から受け取り、受け取った前記注文銘柄の株式売買注文の注文条件と当該株式売買注文の売買区分及び銘柄識別情報と当該株式売買注文の注文識別情報を前記顧客の顧客識別情報に対応付けて前記第１の売買履歴格納部に格納するとともに、受け取った前記注文銘柄の株式売買注文の注文条件と当該株式売買注文の売買区分及び銘柄識別情報と当該株式売買注文の注文識別情報を証券取引所に送信することにより前記株式売買注文の発注処理を行う
ことを特徴とする請求項５記載の注文処理装置。
【請求項７】
前記入力画面は、複数の株式売買注文の注文条件を入力するための入力欄を有し、
前記画面データ送信部は、前記入力画面データを前記顧客の端末装置に送信し、前記複数の株式売買注文の注文条件を入力するための入力欄のうち銘柄識別情報の入力欄に、前記売買回数の大きい順の複数の銘柄識別情報が前記売買回数の大きい順に表示画面の上側の入力欄から順に入力された前記入力画面を前記顧客の端末装置に表示させる
ことを特徴とする請求項５記載の注文処理装置。
【請求項８】
株式売買注文の注文条件を入力するための注文入力画面を顧客の端末装置に表示させ、当該注文入力画面に入力された前記株式売買注文の注文条件を前記顧客の端末装置から受け取り、受け取った前記株式売買注文の注文条件を証券取引所に送信することにより前記株式売買注文の発注処理を行う注文処理装置において、
前記顧客を識別するための顧客識別情報と個別株式の銘柄識別情報と個別株式情報の送信要求を前記顧客の端末装置から受け取り、個別株式の銘柄識別情報に対応付けて当該銘柄識別情報が示す銘柄の個別株式情報を格納するデータベースから前記受け取った銘柄識別情報に対応付けられた個別株式情報を読み出して前記顧客の端末装置に送信する個別株式情報送信部と、
前記顧客の端末装置から前記顧客の顧客識別情報及び個別株式情報の送信要求とともに受け取った前記銘柄識別情報に対して前記データベースで対応付けられた個別株式情報を前記顧客の端末装置に送信する前記個別株式情報送信部による前記データベースへのアクセス回数を、前記顧客の顧客識別情報及び前記銘柄識別情報に対応付けて格納するアクセス回数格納部と、
注文入力画面の送信要求と前記顧客の顧客識別情報を前記顧客の端末装置から受け取り、受け取った前記顧客識別情報に対応付けて前記アクセス回数格納部に格納されている銘柄識別情報と当該銘柄識別情報が示す銘柄の個別株式情報へのアクセス回数とに基づき、アクセス回数が大きいほうの前記銘柄識別情報の銘柄を注文銘柄とする株式売買注文についての銘柄識別情報以外の注文条件の入力欄を有する前記注文入力画面を前記端末装置に表示するための注文入力画面データを生成し、生成した当該注文入力画面データを前記顧客の端末装置に送信して前記注文入力画面を表示させる注文入力画面データ送信部と、
前記注文入力画面の前記入力欄に前記顧客により入力された前記注文銘柄の株式売買注文の注文条件と当該注文銘柄の銘柄識別情報と発注要求を前記顧客の端末装置から受け取り、受け取った前記注文銘柄の株式売買注文の注文条件と当該注文銘柄の銘柄識別情報を証券取引所に送信することにより前記株式売買注文の発注処理を行う発注処理部と
を有し、
前記個別株式情報送信部は、前記顧客の端末装置から前記顧客の顧客識別情報及び個別株式情報の送信要求とともに受け取った前記銘柄識別情報に対して前記データベースで対応付けられた個別株式情報を前記データベースから読み出した場合に、当該銘柄識別情報及び前記顧客の顧客識別情報に対応付けて前記アクセス回数格納部に格納されているアクセス回数に対して１回加算することにより前記アクセス回数格納部の前記アクセス回数を更新する
ことを特徴とする注文処理装置。
【請求項９】
前記注文入力画面データ送信部は、株式売買注文の売買区分と注文入力画面の送信要求と前記顧客の顧客識別情報を前記顧客の端末装置から受け取り、受け取った前記顧客識別情報に対応付けて前記アクセス回数格納部に格納されている銘柄識別情報と当該銘柄識別情報が示す銘柄の個別株式情報へのアクセス回数とに基づき、アクセス回数が大きいほうの前記銘柄識別情報の銘柄を注文銘柄とする前記売買区分の株式売買注文についての売買区分及び銘柄識別情報以外の注文条件の入力欄を有する前記注文入力画面を前記端末装置に表示するための注文入力画面データを生成し、生成した当該注文入力画面データを前記顧客の端末装置に送信して前記注文入力画面を表示させ、
前記発注処理部は、前記注文入力画面の前記入力欄に前記顧客により入力された前記注文銘柄の株式売買注文の注文条件と当該株式売買注文の売買区分及び銘柄識別情報と発注要求を前記顧客の端末装置から受け取り、受け取った前記注文銘柄の株式売買注文の注文条件と当該株式売買注文の売買区分及び銘柄識別情報を証券取引所に送信することにより前記株式売買注文の発注処理を行う
ことを特徴とする請求項８記載の注文処理装置。
【請求項１０】
前記注文入力画面は、複数の株式売買注文の注文条件を入力するための入力欄を有し、
前記注文入力画面データ送信部は、前記注文入力画面データを前記顧客の端末装置に送信し、前記複数の株式売買注文の注文条件を入力するための入力欄のうち銘柄識別情報の入力欄に、前記アクセス回数の大きい順の複数の銘柄識別情報が前記アクセス回数の大きい順に表示画面の上側の入力欄から順に入力された前記注文入力画面を前記顧客の端末装置に表示させる
ことを特徴とする請求項８記載の注文処理装置。
【請求項１１】
株式売買注文の注文条件を入力するための注文入力画面を顧客の端末装置に表示させ、当該注文入力画面に入力された前記株式売買注文の注文条件を前記顧客の端末装置から受け取り、受け取った前記株式売買注文の注文条件を証券取引所に送信することにより前記株式売買注文の発注処理を行う注文処理装置において、
前記顧客を識別するための顧客識別情報と個別株式の銘柄識別情報と個別株式情報の送信要求を前記顧客の端末装置から受け取り、個別株式の銘柄識別情報に対応付けて当該銘柄識別情報が示す銘柄の個別株式情報を格納するデータベースから前記受け取った銘柄識別情報に対応付けられた個別株式情報を読み出して前記顧客の端末装置に送信して表示させる個別株式情報送信部と、
前記顧客の端末装置から前記顧客の顧客識別情報及び個別株式情報の送信要求とともに受け取った前記銘柄識別情報に対して前記データベースで対応付けされた個別株式情報を送信する前記個別株式情報送信部により前記顧客の端末装置に送信された前記個別株式情報が前記顧客の端末装置で表示された表示時間を計測する表示時間計測部と、
前記個別株式情報が前記顧客の端末装置で表示された積算表示時間を、当該個別株式情報の銘柄を示す銘柄識別情報及び前記顧客の顧客識別情報に対応付けて格納する積算表示時間格納部と、
注文入力画面の送信要求と前記顧客の顧客識別情報を前記顧客の端末装置から受け取り、受け取った前記顧客識別情報に対応付けて前記積算表示時間格納部に格納されている銘柄識別情報と当該銘柄識別情報が示す銘柄の個別株式情報の積算表示時間とに基づき、個別株式情報の積算表示時間が長いほうの前記銘柄識別情報の銘柄を注文銘柄とする株式売買注文についての銘柄識別情報以外の注文条件の入力欄を有する前記注文入力画面を前記端末装置に表示するための注文入力画面データを生成し、生成した当該注文入力画面データを前記顧客の端末装置に送信して前記注文入力画面を表示させる注文入力画面データ送信部と、
前記注文入力画面の前記入力欄に前記顧客により入力された前記注文銘柄の株式売買注文の注文条件と当該注文銘柄の銘柄識別情報と発注要求を前記顧客の端末装置から受け取り、受け取った前記注文銘柄の株式売買注文の注文条件と当該注文銘柄の銘柄識別情報を証券取引所に送信することにより前記株式売買注文の発注処理を行う発注処理部と
を有し、
前記表示時間計測部は、前記顧客の端末装置から前記顧客の顧客識別情報及び個別株式情報の送信要求とともに受け取った前記銘柄識別情報に対して前記データベースで対応付けされた個別株式情報を送信する前記個別株式情報送信部により前記顧客の端末装置に送信された前記個別株式情報が前記顧客の端末装置で表示された表示時間を計測し、当該銘柄識別情報及び前記顧客の顧客識別情報に対応付けて前記積算表示時間格納部に格納されている積算表示時間に対して前記計測した表示時間を加算することにより前記積算表示時間格納部の前記積算表示時間を更新する
ことを特徴とする注文処理装置。
【請求項１２】
前記注文入力画面データ送信部は、株式売買注文の売買区分と注文入力画面の送信要求と前記顧客の顧客識別情報を前記顧客の端末装置から受け取り、受け取った前記顧客識別情報に対応付けて前記積算表示時間格納部に格納されている銘柄識別情報と当該銘柄識別情報が示す銘柄の個別株式情報の積算表示時間とに基づき、個別株式情報の積算表示時間が長いほうの前記銘柄識別情報の銘柄を注文銘柄とする前記売買区分の株式売買注文についての売買区分及び銘柄識別情報以外の注文条件の入力欄を有する前記注文入力画面を前記端末装置に表示するための注文入力画面データを生成し、生成した当該注文入力画面データを前記顧客の端末装置に送信して前記注文入力画面を表示させ、
前記発注処理部は、前記注文入力画面の前記入力欄に前記顧客により入力された前記注文銘柄の株式売買注文の注文条件と当該株式売買注文の売買区分及び銘柄識別情報と発注要求を前記顧客の端末装置から受け取り、受け取った前記注文銘柄の株式売買注文の注文条件と当該株式売買注文の売買区分及び銘柄識別情報を証券取引所に送信することにより前記株式売買注文の発注処理を行う
ことを特徴とする請求項１１記載の注文処理装置。
【請求項１３】
前記注文入力画面は、複数の株式売買注文の注文条件を入力するための入力欄を有し、
前記注文入力画面データ送信部は、前記注文入力画面データを前記顧客の端末装置に送信し、前記複数の株式売買注文の注文条件を入力するための入力欄のうち銘柄識別情報の入力欄に、前記積算表示時間の長い順の複数の銘柄識別情報が前記積算表示時間の長い順に表示画面の上側の入力欄から順に入力された前記注文入力画面を前記顧客の端末装置に表示させる
ことを特徴とする請求項１１記載の注文処理装置。
【請求項１４】
前記発注処理部は、前記注文入力画面の前記入力欄に前記顧客により入力された前記注文銘柄の株式売買注文の注文条件と当該注文銘柄の銘柄識別情報と発注要求と前記顧客の顧客識別情報を前記顧客の端末装置から受け取り、受け取った前記注文銘柄の株式売買注文の注文条件と当該注文銘柄の銘柄識別情報を証券取引所に送信することにより前記株式売買注文の発注処理を行い、
前記表示時間計測部は、前記顧客の端末装置から前記顧客の顧客識別情報及び個別株式情報の送信要求とともに受け取った前記銘柄識別情報に対して前記データベースで対応付けされた個別株式情報を送信する前記個別株式情報送信部により前記顧客の端末装置に前記個別株式情報が送信された送信時刻から、前記顧客の顧客識別情報と個別株式の銘柄識別情報と個別株式情報の送信要求、又は個別株式情報の送信要求以外の要求と前記顧客の顧客識別情報を前記顧客の端末装置から受け取る受取時刻までの時間間隔を前記表示時間として計測する
ことを特徴とする請求項１１記載の注文処理装置。
【請求項１５】
コンピュータを、請求項１〜１４の何れかに記載の注文処理装置として機能させるためのプログラム。
【発明の詳細な説明】
【技術分野】
【０００１】
本発明は、株式売買注文の発注処理を行う注文処理装置及びプログラムに関する。
【背景技術】
【０００２】
複数銘柄の有価証券の注文条件を入力する注文入力画面を用いる有価証券取引支援システムが知られている（例えば、特許文献１参照）。
ホームページに株式銘柄のアクセスランキング情報を表示することでアクセスランキング上位の銘柄を人気銘柄として表示する情報処理システムが知られている（例えば、特許文献２参照）。
【０００３】
株式のオンライントレードを行うためのプロセスの一例として、証券会社の注文処理装置は銘柄検索画面を顧客の端末装置に表示させ、顧客は銘柄検索画面に銘柄名を入力して証券会社に返信し、証券会社の注文処理装置は該当銘柄を検索して検索結果を顧客の端末装置に送信して表示させ、顧客は検索結果のうち所望の銘柄を選択して選択結果を証券会社に返信し、証券会社の注文処理装置は顧客が選択した銘柄が入力された注文入力画面を生成して顧客の端末装置に送信して表示させ、顧客は注文入力画面に注文条件を入力して証券会社に返信し、証券会社の注文処理装置は顧客からの注文条件を証券取引所に送信することで株式売買注文の発注を行うものが知られている（例えば、非特許文献１参照）。
【０００４】
【特許文献１】特開２００４−３１０７６１号公報
【特許文献２】特開２００２−２４５２４９号公報
【非特許文献１】松井証券株式会社、オンライントレードデモ画面、[online]、［平成１８年３月２０日検索］、インターネット＜ＵＲＬ：http://www.matsui.co.jp/beginner/netstock_tour/index.html＞
【発明の開示】
【発明が解決しようとする課題】
【０００５】
オンライントレードを行う注文者は、様々な情報を勘案して注文条件を決定するが、注文銘柄を入力するための入力画面に注文者の株式売買履歴及び個別株式情報の閲覧履歴が表示されておらず、このような株式に関する当該注文者の履歴を参照しつつ注文銘柄を入力することができなかった。
【０００６】
本発明は上記のような事情を考慮してなされたものであり、その目的は、顧客が株式売買履歴又は個別株式情報の閲覧履歴のような株式に関する当該顧客の履歴を参照しつつ注文条件を設定することができる注文処理装置及びプログラムを提供することにある。
【課題を解決するための手段】
【０００７】
上記課題を解決するため、本発明の第１の形態の注文処理装置は、株式売買注文の注文条件を入力するための注文入力画面を顧客の端末装置に表示させ、当該注文入力画面に入力された前記株式売買注文の注文条件を前記顧客の端末装置から受け取り、受け取った前記株式売買注文の注文条件を証券取引所に送信することにより前記株式売買注文の発注処理を行う注文処理装置であって、
前記顧客が過去に売買した株式の銘柄識別情報を、当該株式を売買した売買日時及び当該顧客を識別するための顧客識別情報に対応付けて格納する売買履歴格納部と、銘柄選択画面の送信要求と前記顧客の顧客識別情報を前記顧客の端末装置から受け取り、受け取った前記顧客識別情報に対応付けて前記売買履歴格納部に格納されている前記銘柄識別情報及び前記売買日時に基づいて前記顧客が過去に売買した株式の銘柄識別情報を前記売買日時順に表す表示欄を有する銘柄選択画面を前記端末装置に表示するための銘柄選択画面データを生成し、生成した当該銘柄選択画面データを前記顧客の端末装置に送信して前記銘柄選択画面を表示させる銘柄選択画面データ送信部と、前記顧客の端末装置に表示された前記銘柄選択画面における前記表示欄の前記銘柄識別情報から前記顧客により選択された銘柄識別情報と注文入力画面の送信要求を前記顧客の端末装置から受け取り、受け取った当該銘柄識別情報が予め入力された前記注文入力画面を前記端末装置に表示するための注文入力画面データを生成し、生成した当該注文入力画面データを前記顧客の端末装置に送信して前記注文入力画面を表示させる注文入力画面データ送信部とを有することを特徴とする。
【０００８】
本発明の第２の形態の注文処理装置は、株式売買注文の注文条件を入力するための注文入力画面を顧客の端末装置に表示させ、当該注文入力画面に入力された前記株式売買注文の注文条件を前記顧客の端末装置から受け取り、受け取った前記株式売買注文の注文条件を証券取引所に送信することにより前記株式売買注文の発注処理を行う注文処理装置であって、
前記顧客が過去に売買した株式の銘柄識別情報を、当該株式を売買した売買回数及び当該顧客を識別するための顧客識別情報に対応付けて格納する売買履歴格納部と、銘柄選択画面の送信要求と前記顧客の顧客識別情報を前記顧客の端末装置から受け取り、受け取った前記顧客識別情報に対応付けて前記売買履歴格納部に格納されている前記銘柄識別情報及び前記売買回数に基づいて前記顧客が過去に売買した株式の銘柄識別情報を前記売買回数順に表す表示欄を有する銘柄選択画面を前記端末装置に表示するための銘柄選択画面データを生成し、生成した当該銘柄選択画面データを前記顧客の端末装置に送信して前記銘柄選択画面を表示させる銘柄選択画面データ送信部と、前記顧客の端末装置に表示された前記銘柄選択画面における前記表示欄の前記銘柄識別情報から前記顧客により選択された銘柄識別情報と注文入力画面の送信要求を前記顧客の端末装置から受け取り、受け取った当該銘柄識別情報が予め入力された前記注文入力画面を前記端末装置に表示するための注文入力画面データを生成し、生成した当該注文入力画面データを前記顧客の端末装置に送信して前記注文入力画面を表示させる注文入力画面データ送信部とを有することを特徴とする。
【０００９】
本発明の第３の形態の注文処理装置は、株式売買注文の注文条件を入力するための注文入力画面を顧客の端末装置に表示させ、当該注文入力画面に入力された前記株式売買注文の注文条件を前記顧客の端末装置から受け取り、受け取った前記株式売買注文の注文条件を証券取引所に送信することにより前記株式売買注文の発注処理を行う注文処理装置であって、
前記顧客を識別するための顧客識別情報と個別株式の銘柄識別情報と個別株式情報の送信要求を前記顧客の端末装置から受け取り、個別株式の銘柄識別情報に対応付けて当該銘柄識別情報が示す銘柄の個別株式情報を格納するデータベースから前記受け取った銘柄識別情報に対応付けられた個別株式情報を読み出して前記顧客の端末装置に送信する個別株式情報送信部と、前記顧客の端末装置から前記顧客の顧客識別情報及び個別株式情報の送信要求とともに受け取った前記個別株式の銘柄識別情報に対して前記データベースで対応付けされた前記個別株式情報を前記顧客の端末装置に送信する前記個別株式情報送信部が直近に前記個別株式情報を送信した個別株式の銘柄識別情報を、前記顧客の顧客識別情報に対応付けて格納する直近提供銘柄格納部と、前記顧客が過去に売買した株式の銘柄識別情報を、当該株式を売買した売買日時及び当該顧客を識別するための顧客識別情報に対応付けて格納する売買履歴格納部と、銘柄選択画面の送信要求と前記顧客の顧客識別情報を前記顧客の端末装置から受け取り、当該受け取った前記顧客識別情報に対応付けて前記売買履歴格納部に格納されている前記銘柄識別情報及び前記売買日時並びに当該受け取った前記顧客識別情報に対応付けて前記直近提供銘柄格納部に格納されている銘柄識別情報に基づき、前記顧客が過去に売買した株式の銘柄識別情報を前記売買日時順に表す第１の表示欄と前記顧客の端末装置に直近に送信された個別株式情報の銘柄を示す銘柄識別情報を表す第２の表示欄とを有する銘柄選択画面を前記端末装置に表示するための銘柄選択画面データを生成し、生成した当該銘柄選択画面データを前記顧客の端末装置に送信して前記銘柄選択画面を表示させる銘柄選択画面データ送信部と、前記顧客の端末装置に表示された前記銘柄選択画面における前記第１又は第２の表示欄の銘柄識別情報から前記顧客により選択された銘柄識別情報と注文入力画面の送信要求を前記顧客の端末装置から受け取り、受け取った当該銘柄識別情報が予め入力された前記注文入力画面を前記端末装置に表示するための注文入力画面データを生成し、生成した当該注文入力画面データを前記顧客の端末装置に送信して前記注文入力画面を表示させる注文入力画面データ送信部とを有することを特徴とする。
【００１０】
本発明の第４の形態の注文処理装置は、株式売買注文の注文条件を入力するための注文入力画面を顧客の端末装置に表示させ、当該注文入力画面に入力された前記株式売買注文の注文条件を前記顧客の端末装置から受け取り、受け取った前記株式売買注文の注文条件を証券取引所に送信することにより前記株式売買注文の発注処理を行う注文処理装置であって、
前記顧客を識別するための顧客識別情報と個別株式の銘柄識別情報と個別株式情報の送信要求を前記顧客の端末装置から受け取り、個別株式の銘柄識別情報に対応付けて当該銘柄識別情報が示す銘柄の個別株式情報を格納するデータベースから前記受け取った銘柄識別情報に対応付けられた個別株式情報を読み出して前記顧客の端末装置に送信する個別株式情報送信部と、前記顧客の端末装置から前記顧客の顧客識別情報及び個別株式情報の送信要求とともに受け取った前記個別株式の銘柄識別情報に対して前記データベースで対応付けされた前記個別株式情報を前記顧客の端末装置に送信する前記個別株式情報送信部が直近に前記個別株式情報を送信した個別株式の銘柄識別情報を、前記顧客の顧客識別情報に対応付けて格納する直近提供銘柄格納部と、前記顧客が過去に売買した株式の銘柄識別情報を、当該株式を売買した売買回数及び当該顧客を識別するための顧客識別情報に対応付けて格納する売買履歴格納部と、銘柄選択画面の送信要求と前記顧客の顧客識別情報を前記顧客の端末装置から受け取り、当該受け取った前記顧客識別情報に対応付けて前記売買履歴格納部に格納されている前記銘柄識別情報及び前記売買回数並びに当該受け取った前記顧客識別情報に対応付けて前記直近提供銘柄格納部に格納されている銘柄識別情報に基づき、前記顧客が過去に売買した株式の銘柄識別情報を前記売買回数順に表す第１の表示欄と前記顧客の端末装置に直近に送信された個別株式情報の銘柄を示す銘柄識別情報を表す第２の表示欄を有する銘柄選択画面を前記端末装置に表示するための銘柄選択画面データを生成し、生成した当該銘柄選択画面データを前記顧客の端末装置に送信して前記銘柄選択画面を表示させる銘柄入力画面データ送信部と、前記顧客の端末装置に表示された前記銘柄選択画面における前記第１又は第２の表示欄の銘柄識別情報から前記顧客により選択された銘柄識別情報と注文入力画面の送信要求を前記顧客の端末装置から受け取り、受け取った当該銘柄識別情報が予め入力された前記注文入力画面を前記端末装置に表示するための注文入力画面データを生成し、生成した当該注文入力画面データを前記顧客の端末装置に送信して前記注文入力画面を表示させる注文入力画面データ送信部とを有することを特徴とする。
【００１１】
本発明の第５の形態の注文処理装置は、株式売買注文の注文条件を入力するための入力画面を顧客の端末装置に表示させ、当該入力画面に入力された前記株式売買注文の注文条件を前記顧客の端末装置から受け取り、受け取った前記株式売買注文の注文条件を証券取引所に送信することにより前記株式売買注文の発注処理を行う注文処理装置であって、
前記顧客の株式売買注文の注文条件を、当該株式売買注文を識別するための注文識別情報及び当該顧客を識別するための顧客識別情報に対応付けて格納する第１の売買履歴格納部と、前記顧客が過去に売買した株式の銘柄識別情報を、当該株式を売買した売買回数及び当該顧客の顧客識別情報に対応付けて格納する第２の売買履歴格納部と、前記入力画面の送信要求と前記顧客の顧客識別情報を前記顧客の端末装置から受け取り、受け取った前記顧客識別情報に対応付けて前記第２の売買履歴格納部に格納されている前記銘柄識別情報及び前記売買回数に基づき、売買回数が大きいほうの前記銘柄識別情報の銘柄を注文銘柄とする株式売買注文についての銘柄識別情報以外の注文条件の入力欄を有する前記入力画面を前記端末装置に表示するための入力画面データを生成し、生成した当該入力画面データを前記顧客の端末装置に送信して前記入力画面を表示させる画面データ送信部と、前記入力画面の前記入力欄に前記顧客により入力された前記注文銘柄の株式売買注文の注文条件と当該注文銘柄の銘柄識別情報と発注要求と前記顧客の顧客識別情報を前記顧客の端末装置から受け取り、受け取った前記注文銘柄の株式売買注文の注文条件と当該注文銘柄の銘柄識別情報と当該株式売買注文の注文識別情報を前記顧客の顧客識別情報に対応付けて前記第１の売買履歴格納部に格納するとともに、受け取った前記注文銘柄の株式売買注文の注文条件と当該注文銘柄の銘柄識別情報と当該株式売買注文の注文識別情報を証券取引所に送信することにより前記株式売買注文の発注処理を行う発注処理部とを有し、前記発注処理部は、前記株式売買注文が約定したことを示す約定成立通知であって当該株式売買注文の注文識別情報を含む約定成立通知を前記証券取引所から受け取った場合に、当該株式売買注文の注文識別情報に対応付けて前記第１の売買履歴格納部に格納されている顧客識別情報及び銘柄識別情報を用いて、当該顧客識別情報及び銘柄識別情報に対応付けて前記第２の売買履歴格納部に格納されている売買回数に対して１回加算することにより前記第２の売買履歴格納部の前記売買回数を更新することを特徴とする。
【００１２】
本発明の第５の形態の注文処理装置において、前記画面データ送信部は、株式売買注文の売買区分と前記入力画面の送信要求と前記顧客の顧客識別情報を前記顧客の端末装置から受け取り、受け取った前記顧客識別情報に対応付けて前記第２の売買履歴格納部に格納されている前記銘柄識別情報及び前記売買回数に基づき、売買回数が大きいほうの前記銘柄識別情報の銘柄を注文銘柄とする前記売買区分の株式売買注文についての売買区分及び銘柄識別情報以外の注文条件の入力欄を有する前記入力画面を前記端末装置に表示するための入力画面データを生成し、生成した当該入力画面データを前記顧客の端末装置に送信して前記入力画面を表示させ、前記発注処理部は、前記入力画面の前記入力欄に前記顧客により入力された前記注文銘柄の株式売買注文の注文条件と当該株式売買注文の売買区分及び銘柄識別情報と発注要求と前記顧客の顧客識別情報を前記顧客の端末装置から受け取り、受け取った前記注文銘柄の株式売買注文の注文条件と当該株式売買注文の売買区分及び銘柄識別情報と当該株式売買注文の注文識別情報を前記顧客の顧客識別情報に対応付けて前記第１の売買履歴格納部に格納するとともに、受け取った前記注文銘柄の株式売買注文の注文条件と当該株式売買注文の売買区分及び銘柄識別情報と当該株式売買注文の注文識別情報を証券取引所に送信することにより前記株式売買注文の発注処理を行う構成としてもよい。
【００１３】
本発明の第５の形態の注文処理装置において、前記入力画面は、複数の株式売買注文の注文条件を入力するための入力欄を有し、前記画面データ送信部は、前記入力画面データを前記顧客の端末装置に送信し、前記複数の株式売買注文の注文条件を入力するための入力欄のうち銘柄識別情報の入力欄に、前記売買回数の大きい順の複数の銘柄識別情報が前記売買回数の大きい順に表示画面の上側の入力欄から順に入力された前記入力画面を前記顧客の端末装置に表示させる構成としてもよい。
【００１４】
本発明の第６の形態の注文処理装置は、株式売買注文の注文条件を入力するための注文入力画面を顧客の端末装置に表示させ、当該注文入力画面に入力された前記株式売買注文の注文条件を前記顧客の端末装置から受け取り、受け取った前記株式売買注文の注文条件を証券取引所に送信することにより前記株式売買注文の発注処理を行う注文処理装置であって、
前記顧客を識別するための顧客識別情報と個別株式の銘柄識別情報と個別株式情報の送信要求を前記顧客の端末装置から受け取り、個別株式の銘柄識別情報に対応付けて当該銘柄識別情報が示す銘柄の個別株式情報を格納するデータベースから前記受け取った銘柄識別情報に対応付けられた個別株式情報を読み出して前記顧客の端末装置に送信する個別株式情報送信部と、前記顧客の端末装置から前記顧客の顧客識別情報及び個別株式情報の送信要求とともに受け取った前記銘柄識別情報に対して前記データベースで対応付けられた個別株式情報を前記顧客の端末装置に送信する前記個別株式情報送信部による前記データベースへのアクセス回数を、前記顧客の顧客識別情報及び前記銘柄識別情報に対応付けて格納するアクセス回数格納部と、注文入力画面の送信要求と前記顧客の顧客識別情報を前記顧客の端末装置から受け取り、受け取った前記顧客識別情報に対応付けて前記アクセス回数格納部に格納されている銘柄識別情報と当該銘柄識別情報が示す銘柄の個別株式情報へのアクセス回数とに基づき、アクセス回数が大きいほうの前記銘柄識別情報の銘柄を注文銘柄とする株式売買注文についての銘柄識別情報以外の注文条件の入力欄を有する前記注文入力画面を前記端末装置に表示するための注文入力画面データを生成し、生成した当該注文入力画面データを前記顧客の端末装置に送信して前記注文入力画面を表示させる注文入力画面データ送信部と、前記注文入力画面の前記入力欄に前記顧客により入力された前記注文銘柄の株式売買注文の注文条件と当該注文銘柄の銘柄識別情報と発注要求を前記顧客の端末装置から受け取り、受け取った前記注文銘柄の株式売買注文の注文条件と当該注文銘柄の銘柄識別情報を証券取引所に送信することにより前記株式売買注文の発注処理を行う発注処理部とを有し、前記個別株式情報送信部は、前記顧客の端末装置から前記顧客の顧客識別情報及び個別株式情報の送信要求とともに受け取った前記銘柄識別情報に対して前記データベースで対応付けられた個別株式情報を前記データベースから読み出した場合に、当該銘柄識別情報及び前記顧客の顧客識別情報に対応付けて前記アクセス回数格納部に格納されているアクセス回数に対して１回加算することにより前記アクセス回数格納部の前記アクセス回数を更新することを特徴とする。
【００１５】
本発明の第６の形態の注文処理装置において、前記注文入力画面データ送信部は、株式売買注文の売買区分と注文入力画面の送信要求と前記顧客の顧客識別情報を前記顧客の端末装置から受け取り、受け取った前記顧客識別情報に対応付けて前記アクセス回数格納部に格納されている銘柄識別情報と当該銘柄識別情報が示す銘柄の個別株式情報へのアクセス回数とに基づき、アクセス回数が大きいほうの前記銘柄識別情報の銘柄を注文銘柄とする前記売買区分の株式売買注文についての売買区分及び銘柄識別情報以外の注文条件の入力欄を有する前記注文入力画面を前記端末装置に表示するための注文入力画面データを生成し、生成した当該注文入力画面データを前記顧客の端末装置に送信して前記注文入力画面を表示させ、前記発注処理部は、前記注文入力画面の前記入力欄に前記顧客により入力された前記注文銘柄の株式売買注文の注文条件と当該株式売買注文の売買区分及び銘柄識別情報と発注要求を前記顧客の端末装置から受け取り、受け取った前記注文銘柄の株式売買注文の注文条件と当該株式売買注文の売買区分及び銘柄識別情報を証券取引所に送信することにより前記株式売買注文の発注処理を行う構成としてもよい。
【００１６】
本発明の第６の形態の注文処理装置において、前記注文入力画面は、複数の株式売買注文の注文条件を入力するための入力欄を有し、前記注文入力画面データ送信部は、前記注文入力画面データを前記顧客の端末装置に送信し、前記複数の株式売買注文の注文条件を入力するための入力欄のうち銘柄識別情報の入力欄に、前記アクセス回数の大きい順の複数の銘柄識別情報が前記アクセス回数の大きい順に表示画面の上側の入力欄から順に入力された前記注文入力画面を前記顧客の端末装置に表示させる構成としてもよい。
【００１７】
本発明の第７の形態の注文処理装置は、株式売買注文の注文条件を入力するための注文入力画面を顧客の端末装置に表示させ、当該注文入力画面に入力された前記株式売買注文の注文条件を前記顧客の端末装置から受け取り、受け取った前記株式売買注文の注文条件を証券取引所に送信することにより前記株式売買注文の発注処理を行う注文処理装置であって、
前記顧客を識別するための顧客識別情報と個別株式の銘柄識別情報と個別株式情報の送信要求を前記顧客の端末装置から受け取り、個別株式の銘柄識別情報に対応付けて当該銘柄識別情報が示す銘柄の個別株式情報を格納するデータベースから前記受け取った銘柄識別情報に対応付けられた個別株式情報を読み出して前記顧客の端末装置に送信して表示させる個別株式情報送信部と、前記顧客の端末装置から前記顧客の顧客識別情報及び個別株式情報の送信要求とともに受け取った前記銘柄識別情報に対して前記データベースで対応付けされた個別株式情報を送信する前記個別株式情報送信部により前記顧客の端末装置に送信された前記個別株式情報が前記顧客の端末装置で表示された表示時間を計測する表示時間計測部と、前記個別株式情報が前記顧客の端末装置で表示された積算表示時間を、当該個別株式情報の銘柄を示す銘柄識別情報及び前記顧客の顧客識別情報に対応付けて格納する積算表示時間格納部と、注文入力画面の送信要求と前記顧客の顧客識別情報を前記顧客の端末装置から受け取り、受け取った前記顧客識別情報に対応付けて前記積算表示時間格納部に格納されている銘柄識別情報と当該銘柄識別情報が示す銘柄の個別株式情報の積算表示時間とに基づき、個別株式情報の積算表示時間が長いほうの前記銘柄識別情報の銘柄を注文銘柄とする株式売買注文についての銘柄識別情報以外の注文条件の入力欄を有する前記注文入力画面を前記端末装置に表示するための注文入力画面データを生成し、生成した当該注文入力画面データを前記顧客の端末装置に送信して前記注文入力画面を表示させる注文入力画面データ送信部と、前記注文入力画面の前記入力欄に前記顧客により入力された前記注文銘柄の株式売買注文の注文条件と当該注文銘柄の銘柄識別情報と発注要求を前記顧客の端末装置から受け取り、受け取った前記注文銘柄の株式売買注文の注文条件と当該注文銘柄の銘柄識別情報を証券取引所に送信することにより前記株式売買注文の発注処理を行う発注処理部とを有し、前記表示時間計測部は、前記顧客の端末装置から前記顧客の顧客識別情報及び個別株式情報の送信要求とともに受け取った前記銘柄識別情報に対して前記データベースで対応付けされた個別株式情報を送信する前記個別株式情報送信部により前記顧客の端末装置に送信された前記個別株式情報が前記顧客の端末装置で表示された表示時間を計測し、当該銘柄識別情報及び前記顧客の顧客識別情報に対応付けて前記積算表示時間格納部に格納されている積算表示時間に対して前記計測した表示時間を加算することにより前記積算表示時間格納部の前記積算表示時間を更新することを特徴とする。
【００１８】
本発明の第７の形態の注文処理装置において、前記注文入力画面データ送信部は、株式売買注文の売買区分と注文入力画面の送信要求と前記顧客の顧客識別情報を前記顧客の端末装置から受け取り、受け取った前記顧客識別情報に対応付けて前記積算表示時間格納部に格納されている銘柄識別情報と当該銘柄識別情報が示す銘柄の個別株式情報の積算表示時間とに基づき、個別株式情報の積算表示時間が長いほうの前記銘柄識別情報の銘柄を注文銘柄とする前記売買区分の株式売買注文についての売買区分及び銘柄識別情報以外の注文条件の入力欄を有する前記注文入力画面を前記端末装置に表示するための注文入力画面データを生成し、生成した当該注文入力画面データを前記顧客の端末装置に送信して前記注文入力画面を表示させ、前記発注処理部は、前記注文入力画面の前記入力欄に前記顧客により入力された前記注文銘柄の株式売買注文の注文条件と当該株式売買注文の売買区分及び銘柄識別情報と発注要求を前記顧客の端末装置から受け取り、受け取った前記注文銘柄の株式売買注文の注文条件と当該株式売買注文の売買区分及び銘柄識別情報を証券取引所に送信することにより前記株式売買注文の発注処理を行う構成としてもよい。
【００１９】
本発明の第７の形態の注文処理装置において、前記注文入力画面は、複数の株式売買注文の注文条件を入力するための入力欄を有し、前記注文入力画面データ送信部は、前記注文入力画面データを前記顧客の端末装置に送信し、前記複数の株式売買注文の注文条件を入力するための入力欄のうち銘柄識別情報の入力欄に、前記積算表示時間の長い順の複数の銘柄識別情報が前記積算表示時間の長い順に表示画面の上側の入力欄から順に入力された前記注文入力画面を前記顧客の端末装置に表示させる構成としてもよい。
【００２０】
本発明の第７の形態の注文処理装置において、前記発注処理部は、前記注文入力画面の前記入力欄に前記顧客により入力された前記注文銘柄の株式売買注文の注文条件と当該注文銘柄の銘柄識別情報と発注要求と前記顧客の顧客識別情報を前記顧客の端末装置から受け取り、受け取った前記注文銘柄の株式売買注文の注文条件と当該注文銘柄の銘柄識別情報を証券取引所に送信することにより前記株式売買注文の発注処理を行い、前記表示時間計測部は、前記顧客の端末装置から前記顧客の顧客識別情報及び個別株式情報の送信要求とともに受け取った前記銘柄識別情報に対して前記データベースで対応付けされた個別株式情報を送信する前記個別株式情報送信部により前記顧客の端末装置に前記個別株式情報が送信された送信時刻から、前記顧客の顧客識別情報と個別株式の銘柄識別情報と個別株式情報の送信要求、又は個別株式情報の送信要求以外の要求と前記顧客の顧客識別情報を前記顧客の端末装置から受け取る受取時刻までの時間間隔を前記表示時間として計測する構成としてもよい。
【００２１】
本発明の第８の形態は、コンピュータを、本発明の第１から第７の何れかの形態の株式注文処理装置として機能させるためのプログラムである。
【発明の効果】
【００２２】
本発明によれば、顧客が当該顧客の株式売買履歴又は個別株式情報の閲覧履歴のような株式に関する当該顧客の履歴を参照しつつ株式売買注文の注文条件を設定することができる注文処理装置及びプログラムを提供することができる。
【発明を実施するための最良の形態】
【００２３】
以下、本発明の実施形態を、図面を参照して説明する。図１は、本発明の実施形態に係る注文処理装置１００を含むシステムの概要を示す概略図である。金融機関（一例として証券会社）の注文処理装置１００は、インターネット等の通信回線１を介して顧客の端末装置１０に接続されるとともに、専用線又は専用回線等の通信回線を介して証券取引所の株式売買処理を行うための売買システム２００に接続される。顧客は株式売買注文の注文条件を端末装置１０に入力して注文処理装置１００に送信する。注文処理装置１００は、顧客の端末装置１０から株式売買注文の注文条件を受信し、受信した株式売買注文の注文条件を含む注文入力電文を生成して証券取引所の売買システム２００に送信することにより株式売買注文の発注処理を行う。
【００２４】
図２は、本発明の第１の実施形態に係る注文処理装置１００の構成例を示すブロック図である。この注文処理装置１００は、銘柄選択画面データ送信部１１０と、注文入力画面データ送信部１２０と、発注処理部１２２と、売買履歴格納部の一例である売買履歴データベース（売買履歴ＤＢ）１１２を有する。売買履歴ＤＢ１１２は、顧客が過去に売買した株式の銘柄識別情報を、当該株式を売買した売買日時及び当該顧客を識別するための顧客識別情報（顧客ＩＤ）に対応付けて格納する。
【００２５】
銘柄選択画面データ送信部１１０は、銘柄選択画面の送信要求と顧客を識別するための顧客ＩＤを顧客の端末装置１０から受け取り、受け取った顧客ＩＤに対応付けて売買履歴ＤＢ１１２に格納されている売買履歴データに基づき、当該顧客が過去に売買した株式の売買履歴の表示欄を有する銘柄選択画面を端末装置１０に表示するための銘柄選択画面データを生成し、生成した当該銘柄選択画面データを顧客の端末装置１０に送信して銘柄選択画面を表示させる。
【００２６】
注文入力画面データ送信部１２０は、株式売買注文の注文条件を顧客が入力するための注文入力画面を端末装置１０に表示するための注文入力画面データを生成し、生成した当該注文入力画面を顧客の端末装置１０に送信して注文入力画面を表示させる。この注文入力画面データ送信部１２０は、顧客の端末装置１０に表示された銘柄選択画面における上記表示欄の銘柄識別情報から顧客により選択された銘柄識別情報と注文入力画面の送信要求を顧客の端末装置１０から受け取り、受け取った当該銘柄識別情報が予め入力された注文入力画面を端末装置１０に表示するための注文入力画面データを生成し、生成した当該注文入力画面データを顧客の端末装置１０に送信して注文入力画面を表示させる。
【００２７】
発注処理部１２２は、顧客の端末装置１０に表示された注文入力画面に入力された株式売買注文の注文条件を顧客の端末装置１０から受け取り、受け取った当該注文条件の株式売買注文を識別するための注文識別番号（注文ＩＤ）を採番し、当該注文条件及び注文ＩＤを含む注文入力電文を生成して証券取引所の売買システム２００に送信することにより株式売買注文の発注処理を行う。なお、銘柄選択画面データ送信部１１０、注文入力画面データ送信部１２０、発注処理部１２２及び売買履歴ＤＢ１１２の処理動作をコンピュータに行わせるためのプログラムを注文処理装置１００にインストールし、注文処理装置１００のコンピュータに銘柄選択画面データ送信部１１０、注文入力画面データ送信部１２０、発注処理部１２２及び売買履歴ＤＢ１１２の処理動作を行わせる構成としてもよい。
【００２８】
図３は、売買履歴ＤＢ１１２に格納される売買履歴データを例示する説明図である。売買履歴ＤＢ１１２は、第１の売買履歴ＤＢ１１２Ａと第２の売買履歴ＤＢ１１２Ｂからなる。
図３（Ａ）は、第１の売買履歴ＤＢ１１２Ａに格納される売買履歴データをテーブル形式で例示する説明図である。この第１の売買履歴ＤＢ１１２Ａは、顧客を識別するための顧客識別情報である顧客ＩＤに対応付けて、株式売買注文を識別するための注文識別情報である注文ＩＤと、株式売買注文の注文銘柄の銘柄コードと、株式売買注文の売買区分と、株式売買注文の注文数量と、株式売買注文の注文値段と、株式売買注文の約定日時である売買日時を示す情報を格納する。例えば、第１の売買履歴ＤＢ１１２Ａをリレーショナル・データベース（ＲＤＢ）により構成し、顧客の顧客ＩＤを格納するための顧客ＩＤフィールドと、株式売買注文の注文ＩＤを格納するための注文ＩＤフィールドと、株式売買注文の銘柄コードを格納するための銘柄コードフィールドと、株式売買注文の売買区分を格納するための売買区分フィールドと、株式売買注文の注文数量を格納するための注文数量フィールドと、株式売買注文の注文値段を格納するための注文値段フィールドと、株式売買注文の売買日時を示す情報を格納するための売買日時フィールドをレコード毎に設け、同一レコードに格納される顧客の顧客ＩＤと、株式売買注文の注文ＩＤと、株式売買注文の銘柄コードと、株式売買注文の売買区分と、株式売買注文の注文数量と、株式売買注文の注文値段と、株式売買注文の売買日時を示す情報を互いに対応付けるようにしてもよい。図３（Ａ）の第１の売買履歴ＤＢ１１２Ａには、顧客ＩＤ「Ｕ００１」及び注文ＩＤ「００１２３４」に対応付けて、銘柄コード「××××」、売買区分「買」、注文数量「２０００株」、注文値段「８００円」、売買日時「２００６年３月３日１０：００」が格納されている。なお、第１の売買履歴ＤＢ１１２Ａにおいて、発注処理部１２２による株式売買注文の約定成立通知の受信前では、株式売買注文の売買日時を示す情報として約定未成立を示すデフォルト値が予め格納されているものとする。
【００２９】
図３（Ｂ）は、第２の売買履歴ＤＢ１１２Ｂに格納される売買履歴データをテーブル形式で例示する説明図である。この第２の売買履歴ＤＢ１１２Ｂは、顧客を識別するための顧客識別情報である顧客ＩＤに対応付けて、顧客が過去に売買した株式の銘柄コードと、当該銘柄コードの株式を売買した売買回数を格納しており、売買回数には買の回数（購入回数）と売の回数（売却回数）が含まれている。例えば、第２の売買履歴ＤＢ１１２Ｂをリレーショナル・データベース（ＲＤＢ）により構成し、顧客の顧客ＩＤを格納するための顧客ＩＤフィールドと、株式の銘柄コードを格納するための銘柄コードフィールドと、当該銘柄の株式の買回数を格納するための買フィールドと、当該銘柄の株式の売回数を格納するための売フィールドをレコード毎に設け、同一レコードに格納される顧客の顧客ＩＤと、株式の銘柄コードと、当該銘柄の株式の買回数と、当該銘柄の株式の売回数を互いに対応付けるようにしてもよい。図３（Ｂ）の第２の売買履歴ＤＢ１１２Ｂには、顧客ＩＤ「Ｕ００１」及び銘柄コード「××××」に対応付けて買回数「２７回」と売回数「１２回」が格納されており、顧客ＩＤ「Ｕ００１」及び銘柄コード「○○○○」に対応付けて買回数「１０回」と売回数「１１回」が格納されている。
【００３０】
図４は、図２に示す第１の実施形態に係る注文処理装置１００と顧客の端末装置１０で行われる処理動作を例示するフローチャートである。先ず、顧客の端末装置１０は、銘柄選択画面の送信要求と顧客の顧客ＩＤを注文処理装置１００に送信する（ステップＳ１０）。例えば、顧客は端末装置１０でブラウザにより証券会社のウェブページ（ホームページ）を画面表示し、表示されたホームページで株式売買注文を行うためのウェブサイトにジャンプする表示ボタンをマウスでクリック操作することで、端末装置１０から顧客ＩＤと銘柄選択画面の送信要求が注文処理装置１００に送信されるようにしてもよく、顧客の端末装置１０は当該顧客の顧客ＩＤをブラウザの記憶手段に記憶して注文処理装置１００へのアクセス毎に当該顧客の顧客ＩＤを自動的に注文処理装置１００に送信する構成としてもよい。
【００３１】
注文処理装置１００の銘柄選択画面データ送信部１１０は、銘柄選択画面の送信要求及び顧客ＩＤを顧客の端末装置１０から受信すると、受信した当該顧客ＩＤに対応付けて売買履歴ＤＢ１１２に格納されている売買履歴データであって売買日時を示す情報がデフォルト値でないものを売買履歴ＤＢ１１２から読み出す（ステップＳ１２）。そして、銘柄選択画面データ送信部１１０は、読み出した売買履歴データに含まれる各銘柄コードを、銘柄コードと銘柄名を対応付けた変換テーブルを用いて銘柄名に変換し、変換した当該銘柄名を含む銘柄選択画面を端末装置１０に表示するための銘柄選択画面データを生成し（ステップＳ１４）、生成した銘柄選択画面データを顧客の端末装置１０に送信する（ステップＳ１６）。
【００３２】
顧客の端末装置１０は、銘柄選択画面データを注文処理装置１００から受信すると、受信した銘柄選択画面データに従って銘柄選択画面を表示する（ステップＳ１８）。銘柄選択画面には、顧客が過去に売買した株式の銘柄名が選択可能に表示される。顧客は、銘柄選択画面で表示されている銘柄名から所望の銘柄名を選択し（ステップＳ２０）、顧客の端末装置１０は、銘柄選択画面で選択された銘柄名と注文入力画面の送信要求と顧客ＩＤを注文処理装置１００に送信する（ステップＳ２２）。例えば、顧客が銘柄選択画面で表示されている銘柄名から所望の銘柄名を例えばポインタで特定してマウスでクリック操作することで選択し、銘柄選択画面の検索ボタンをクリック操作することで、顧客の端末装置１０は、銘柄選択画面で選択された銘柄名と注文入力画面の送信要求と顧客ＩＤを注文処理装置１００に送信するようにしてもよい。
【００３３】
注文処理装置１００の注文入力画面データ送信部１２０は、銘柄名と注文入力画面の送信要求と顧客ＩＤを顧客の端末装置１０から受信すると、受信した銘柄名が予め入力された注文入力画面を端末装置１０に表示するための注文入力画面データを生成し（ステップＳ２４）、生成した注文入力画面データを顧客の端末装置１０に送信する（ステップＳ２６）。
【００３４】
顧客の端末装置１０は、注文入力画面データを注文処理装置１００から受信すると、受信した注文入力画面データに従って注文入力画面を表示する（ステップＳ２８）。注文入力画面には予め銘柄名が株式売買注文の注文条件として入力されており、顧客は、株式売買注文の他の注文条件を注文入力画面に入力し（ステップＳ３０）、顧客の端末装置１０は、注文入力画面に入力された株式売買注文の注文条件と発注要求と顧客ＩＤを注文処理装置１００に送信する（ステップＳ３２）。例えば、顧客が株式売買注文の他の注文条件を注文入力画面に入力して注文入力画面の発注ボタンをクリック操作することで、顧客の端末装置１０は、注文入力画面に予め入力された銘柄名と株式売買注文の他の注文条件からなる当該株式売買注文の注文条件と、発注要求と顧客ＩＤを、注文処理装置１００に送信するようにしてもよい。
【００３５】
注文処理装置１００の発注処理部１２２は、株式売買注文の注文条件と発注要求と顧客ＩＤを顧客の端末装置１０から受信すると、受信した当該注文条件の株式売買注文を識別するための注文識別番号（注文ＩＤ）を採番し、顧客ＩＤに対応付けて注文ＩＤと注文条件を第１の売買履歴ＤＢ１１２Ａに格納する。なお、顧客の端末装置１０からの注文条件は、銘柄名と売買区分と注文数量と注文値段を含んでおり、発注処理部１２２は注文条件に含まれる銘柄名を変換テーブルを用いて銘柄コードに変換し、変換した当該銘柄コードと売買区分と注文数量と注文値段とデフォルト値の売買日時と注文ＩＤを顧客ＩＤに対応付けて第１の売買履歴ＤＢ１１２Ａに格納するようになっている。次に、発注処理部１２２は、銘柄コードと売買区分と注文数量と注文値段からなる注文条件と注文ＩＤとを含む注文入力電文を生成し、生成した当該注文入力電文を証券取引所の売買システム２００に送信することで株式売買注文の発注処理を行う（ステップＳ３４）。そして発注処理部１２２は、株式売買注文の発注完了を示す発注完了画面を端末装置１０に表示するための発注完了画面データを生成し、生成した当該発注完了画面データを顧客の端末装置１０に送信する（ステップＳ３６）。顧客の端末装置１０は、注文処理装置１００から発注完了画面データを受信すると、受信した発注完了画面データに従って発注完了画面を表示する（ステップＳ３８）。
【００３６】
その後、発注処理部１２２は、株式売買注文が約定したことを示す約定成立通知であって当該株式売買注文の注文ＩＤと約定日時を含む約定成立通知を証券取引所から受信すると、約定成立通知に含まれる注文ＩＤに対応付けて約定日時を売買日時として第１の売買履歴ＤＢ１１２Ａに格納することで約定処理を行う（ステップＳ４０）。また、約定成立通知に含まれる注文ＩＤに対応付けて第１の売買履歴ＤＢ１１２Ａに格納されている顧客ＩＤ並びに注文条件の銘柄コード及び売買区分を読み出し、当該顧客ＩＤ並びに注文条件の銘柄コード及び売買区分に対応付けて第２の売買履歴ＤＢ１１２Ｂに格納されている売買回数に対して１回加算することで、第２の売買履歴ＤＢ１１２Ｂに格納されている売買回数の更新を行い（ステップＳ４２）、例えば売買区分が「買」を示すときは当該顧客ＩＤ並びに注文条件の銘柄コード及び当該売買区分に対応付けて第２の売買履歴ＤＢ１１２Ｂに格納されている買回数に対して１回加算し、売買区分が「売」を示すときは当該顧客ＩＤ並びに注文条件の銘柄コード及び当該売買区分に対応付けて第２の売買履歴ＤＢ１１２Ｂに格納されている売回数に対して１回加算する。
【００３７】
図５は、図４のフローチャートのステップＳ１８において、顧客の端末装置１０に表示される銘柄選択画面を例示する説明図である。
図５（Ａ）は、図４のフローチャートのステップＳ１８において、顧客の端末装置１０に表示される銘柄選択画面の第１の例を示す説明図である。図５（Ａ）の銘柄選択画面は、銘柄コード又は銘柄名を入力するための入力欄２０１と、検索ボタン２０２と、顧客の株式売買履歴の表示欄２０３を有している。顧客の株式売買履歴の表示欄２０３は、顧客が過去に売買した株式の銘柄名とその売買区分を売買日時順に表形式で表しており、売買日時が新しい銘柄名から順に上側から単一又は複数銘柄が表示され、銘柄名をポインタで特定してマウスでクリック操作することで当該銘柄名が入力欄２０１に入力されるようになっている。図５（Ａ）の銘柄選択画面における顧客の株式売買履歴の表示欄２０３では、売買履歴として「１．×××」と「買」が対応付けて表示されており、当該顧客の直近の買付銘柄が銘柄名「×××」であったことを示している。なお、銘柄コード「××××」の銘柄名を「×××」として例示しており、銘柄コード「××××」と銘柄名「×××」が変換テーブルで対応付けられているものとする。
【００３８】
図５（Ａ）に示す銘柄選択画面が、図４のフローチャートのステップＳ１８で顧客の端末装置１０に表示されるようにするため、例えば図４のフローチャートのステップＳ１２〜Ｓ１６において、注文処理装置１００の銘柄選択画面データ送信部１１０は、銘柄選択画面の送信要求及び顧客ＩＤを顧客の端末装置１０から受信すると、受信した当該顧客ＩＤに対応付けて第１の売買履歴ＤＢ１１２Ａに格納されている株式売買注文の銘柄コードと売買区分と売買日時のうちで売買日時がデフォルト値でないものを第１の売買履歴ＤＢ１１２Ａから読み出し（ステップＳ１２）、読み出した（約定済みの）株式売買注文の銘柄コードを変換テーブルにより銘柄名に変換して株式売買注文の銘柄名と売買区分を売買日時順に所定の銘柄数について表形式で表す表示欄２０３と銘柄名又は銘柄コードの入力欄２０１と入力欄２０１に対応する検索ボタン２０２を有する銘柄選択画面を端末装置１０に表示するための銘柄選択画面データを生成し（ステップＳ１４）、生成した銘柄選択画面データを顧客の端末装置１０に送信する（ステップＳ１６）構成としてもよい。
【００３９】
図５（Ｂ）は、図４のフローチャートのステップＳ１８において、顧客の端末装置１０に表示される銘柄選択画面の第２の例を示す説明図である。図５（Ｂ）の銘柄選択画面は、銘柄コード又は銘柄名を入力するための入力欄２０１と、検索ボタン２０２と、顧客の株式売買履歴の表示欄２０４を有している。顧客の株式売買履歴の表示欄２０４では、顧客が過去に売買した株式の銘柄名とその売買区分を売買回数順に表形式で表しており、売買回数が多い銘柄名から順に上側から単一又は複数銘柄が表示され、銘柄名をポインタで特定してマウスでクリック操作することで当該銘柄名が入力欄２０１に入力されるようになっている。図５（Ｂ）の銘柄選択画面における顧客の株式売買履歴の表示欄２０４では、売買履歴を示す売買回数として１番目の銘柄名「×××」と買回数「２７回」と売回数「１２回」が対応付けて第１の銘柄別表示欄２０４ａに表示されており、２番目の銘柄名「○○○」と買回数「１０回」と売回数「１１回」が対応付けて第１の銘柄別表示欄２０４ａの下側に隣接する第２の銘柄別表示欄２０４ａに表示されており、当該顧客の銘柄名「×××」の株式銘柄の買回数が２７回であるとともに売回数が１２回であることを示しており、また、銘柄名「○○○」の株式銘柄の買回数が１０回であるとともに売回数が１１回であることを示している。なお、銘柄コード「××××」の銘柄名を「×××」として例示しており、銘柄コード「○○○○」の銘柄名を「○○○」として例示しており、銘柄コード「××××」と銘柄名「×××」が変換テーブルで対応付けられているとともに、銘柄コード「○○○○」と銘柄名「○○○」が変換テーブルで対応付けられているものとする。
【００４０】
図５（Ｂ）に示す銘柄選択画面が、図４のフローチャートのステップＳ１８で顧客の端末装置１０に表示されるようにするため、例えば図４のフローチャートのステップＳ１２〜Ｓ１６において、注文処理装置１００の銘柄選択画面データ送信部１１０は、銘柄選択画面の送信要求及び顧客ＩＤを顧客の端末装置１０から受信すると、受信した当該顧客ＩＤに対応付けて第２の売買履歴ＤＢ１１２Ｂに格納されている株式の銘柄コードと買回数と売回数を第２の売買履歴ＤＢ１１２Ｂから読み出し（ステップＳ１２）、読み出した株式の銘柄コードを変換テーブルにより銘柄名に変換して株式の銘柄名と買回数と売回数を回数順に所定の銘柄数について表形式で表す表示欄２０４と銘柄名又は銘柄コードの入力欄２０１と入力欄２０１に対応する検索ボタン２０２を有する銘柄選択画面を端末装置１０に表示するための銘柄選択画面データを生成し（ステップＳ１４）、生成した銘柄選択画面データを顧客の端末装置１０に送信する（ステップＳ１６）構成としてもよく、例えば買回数が多い順に銘柄名と当該銘柄の買回数及び売回数を対応付けて表示する構成としてもよく、例えば売回数が多い順に銘柄名と当該銘柄の売回数及び買回数を対応付けて表示する構成としてもよい。
【００４１】
図６は、図４のフローチャートのステップＳ２８において、顧客の端末装置１０に表示される注文入力画面の一例を示す説明図である。図６の注文入力画面は、注文内容入力を行うための注文内容入力欄２１０と発注ボタン２１５を有している。この注文内容入力欄２１０では、銘柄選択画面で顧客により選択された銘柄名が予め入力されており、予め入力された銘柄名を表示するための表示領域２１１に一例として銘柄名「×××」が表示されている。顧客は、端末装置１０に表示された注文入力画面に売又は買の売買区分を選択して指定するためのラジオボタンからなる選択欄２１２、注文数量を入力するための入力欄２１３、注文値段を入力するための入力欄２１４ａ，２１４ｂにそれぞれ対応する注文条件を入力し、発注ボタン２１５をクリック操作することにより、端末装置１０は注文入力画面の注文内容入力欄２１０に入力された注文条件（銘柄名、売買区分、注文数量及び注文値段）と発注要求と顧客ＩＤを注文処理装置１００に送信するようになっている。なお、注文値段の入力欄２１４ａ，２１４ｂは、顧客が指値注文を出すときに指値を入力するための入力欄２１４ａと、顧客が成行注文を出すときに成行注文である旨を入力するためのチェックボタンからなる入力欄２１４ｂにより構成されている。
【００４２】
このように、第１の実施形態の注文処理装置１００によれば、顧客は端末装置１０の銘柄選択画面に表示された複数の銘柄名のうち所望の銘柄を選択して検索ボタン２０２を操作することにより、選択した銘柄名が予め入力された注文入力画面を端末装置１０に表示させることができる。銘柄選択画面に銘柄名が表示された銘柄は、当該顧客の過去の株式売買履歴に基づくものであり、顧客は当該顧客の過去の株式売買履歴を参照しつつ注文銘柄を選択することができ、顧客の株式売買履歴という当該顧客独自の情報を勘案して株式売買注文の注文条件の注文銘柄を設定することができる利点がある。
【００４３】
図７は、本発明の第２の実施形態に係る注文処理装置１００の構成例を示すブロック図である。この注文処理装置１００は、個別株式情報送信部１３０と、直近提供銘柄格納部１３４と、銘柄識別情報が示す銘柄の個別株式情報を格納する銘柄情報データベース（銘柄情報ＤＢ）１３２と、銘柄選択画面データ送信部１１０と、注文入力画面データ送信部１２０と、発注処理部１２２と、売買履歴格納部の一例である売買履歴データベース（売買履歴ＤＢ）１１２を有する。売買履歴ＤＢ１１２は、顧客が過去に売買した株式の銘柄識別情報を、当該株式を売買した売買日時及び当該顧客を識別するための顧客ＩＤに対応付けて格納する。この売買履歴ＤＢ１１２は、第１の売買履歴ＤＢ１１２Ａと第２の売買履歴ＤＢ１１２Ｂからなり、上記第１の実施形態において図３を参照して説明したのでここでの説明を省略する。銘柄情報ＤＢ１３２は、個別株式の銘柄コードに対応付けて当該銘柄コードが示す銘柄の個別株式情報を格納し、銘柄の個別株式情報としては例えば当該銘柄の株式会社の決算データ及び株価チャート等を格納する。
【００４４】
個別株式情報送信部１３０は、顧客を識別するための顧客ＩＤと個別株式の銘柄コードと個別株式情報の送信要求を顧客の端末装置１０から受け取り、受け取った銘柄コードに対応付けられた個別株式情報を銘柄情報ＤＢ１３２から読み出して顧客の端末装置１０に送信する。そして、個別株式情報を送信した個別株式の銘柄コードを顧客の顧客ＩＤに対応付けて直近提供銘柄格納部１３４に格納する。これにより、顧客の顧客ＩＤに対応付けて直近提供銘柄情格納部１３４に格納されている銘柄コードの更新が行われるとともに、個別株式情報送信部１３０が顧客に対して直近に個別株式情報を提供した個別株式の銘柄コードが直近提供情報格納部１３４に格納される。
【００４５】
銘柄選択画面データ送信部１１０は、銘柄選択画面の送信要求と顧客の顧客ＩＤを顧客の端末装置１０から受け取り、当該受け取った顧客ＩＤに対応付けて売買履歴ＤＢ１１２に格納されている売買履歴データ並びに当該受け取った顧客ＩＤに対応付けて直近提供銘柄格納部１３４に格納されている銘柄コードに基づき、顧客が過去に売買した株式の銘柄識別情報を表す第１の表示欄と顧客の端末装置１０に直近に送信された個別株式情報の銘柄を示す銘柄識別情報を表す第２の表示欄とを有する銘柄選択画面を端末装置１０に表示するための銘柄選択画面データを生成し、生成した当該銘柄選択画面データを顧客の端末装置１０に送信して銘柄選択画面を表示させる。
【００４６】
注文入力画面データ送信部１２０は、顧客の端末装置１０に表示された銘柄選択画面における第１又は第２の表示欄の銘柄識別情報から顧客により選択された銘柄識別情報と注文入力画面の送信要求を顧客の端末装置１０から受け取り、受け取った当該銘柄識別情報が予め入力された注文入力画面を端末装置１０に表示するための注文入力画面データを生成し、生成した当該注文入力画面データを顧客の端末装置１０に送信して注文入力画面を表示させる。
【００４７】
発注処理部１２２は、顧客の端末装置１０に表示された注文入力画面に入力された株式売買注文の注文条件を顧客の端末装置１０から受け取り、受け取った当該注文条件の株式売買注文を識別するための注文識別番号（注文ＩＤ）を採番し、当該注文条件及び注文ＩＤを含む注文入力電文を生成して証券取引所の売買システム２００に送信することにより株式売買注文の発注処理を行う。なお、個別株式情報送信部１３０、直近提供銘柄格納部１３４、銘柄情報ＤＢ１３２、銘柄選択画面データ送信部１１０、注文入力画面データ送信部１２０、発注処理部１２２及び売買履歴ＤＢ１１２の処理動作をコンピュータに行わせるためのプログラムを注文処理装置１００にインストールし、注文処理装置１００のコンピュータに個別株式情報送信部１３０、直近提供銘柄格納部１３４、銘柄情報ＤＢ１３２、銘柄選択画面データ送信部１１０、注文入力画面データ送信部１２０、発注処理部１２２及び売買履歴ＤＢ１１２の処理動作を行わせる構成としてもよい。
【００４８】
先に参照した図４は、図２に示す第１の実施形態に係る注文処理装置１００と顧客の端末装置１０で行われる処理動作を例示するフローチャートであるが、図７に示す第２の実施形態に係る注文処理装置１００と顧客の端末装置１０で行われる処理動作を例示するフローチャートでもある。そこで、図７に示す第２の実施形態に係る注文処理装置１００と顧客の端末装置１０で行われる処理動作を、図４を援用することで当該図４のフローチャートを参照して説明する。
先ず、顧客の端末装置１０は、銘柄選択画面の送信要求と顧客の顧客ＩＤを注文処理装置１００に送信する（ステップＳ１０）。例えば、顧客は端末装置１０でブラウザにより証券会社のウェブページ（ホームページ）を画面表示し、表示されたホームページで株式売買注文を行うためのウェブサイトにジャンプする表示ボタンをマウスでクリック操作することで、端末装置１０から顧客ＩＤと銘柄選択画面の送信要求が注文処理装置１００に送信されるようにしてもよく、顧客の端末装置１０は当該顧客の顧客ＩＤをブラウザの記憶手段に記憶して注文処理装置１００へのアクセス毎に当該顧客の顧客ＩＤを自動的に注文処理装置１００に送信する構成としてもよい。
【００４９】
注文処理装置１００の銘柄選択画面データ送信部１１０は、銘柄選択画面の送信要求及び顧客ＩＤを顧客の端末装置１０から受信すると、受信した当該顧客ＩＤに対応付けて売買履歴ＤＢ１１２に格納されている売買履歴データであって売買日時を示す情報がデフォルト値でないものを売買履歴ＤＢ１１２から読み出す（ステップＳ１２）とともに、受信した当該顧客ＩＤに対応付けて直近提供銘柄格納部１３４に格納されている銘柄コード（直近銘柄の銘柄コード）を直近提供銘柄格納部１３４から読み出す。そして、銘柄選択画面データ送信部１１０は、読み出した売買履歴データに含まれる各銘柄コードと直近銘柄の銘柄コードを、銘柄コードと銘柄名を対応付けた変換テーブルを用いて銘柄名に変換し、変換した当該銘柄名を含む銘柄選択画面を端末装置１０に表示するための銘柄選択画面データを生成し（ステップＳ１４）、生成した銘柄選択画面データを顧客の端末装置１０に送信する（ステップＳ１６）。
【００５０】
顧客の端末装置１０は、銘柄選択画面データを注文処理装置１００から受信すると、受信した銘柄選択画面データに従って銘柄選択画面を表示する（ステップＳ１８）。銘柄選択画面には、顧客が過去に売買した株式の銘柄名と顧客が直近に個別株式情報を要求した株式の銘柄名が選択可能に表示される。顧客は、銘柄選択画面で表示されている銘柄名から所望の銘柄名を選択し（ステップＳ２０）、顧客の端末装置１０は、銘柄選択画面で選択された銘柄名と注文入力画面の送信要求と顧客ＩＤを注文処理装置１００に送信する（ステップＳ２２）。例えば、顧客が銘柄選択画面で表示されている銘柄名から所望の銘柄名を例えばポインタで特定してマウスでクリック操作することで選択し、銘柄選択画面の検索ボタンをクリック操作することで、顧客の端末装置１０は、銘柄選択画面で選択された銘柄名と注文入力画面の送信要求と顧客ＩＤを注文処理装置１００に送信するようにしてもよい。
【００５１】
注文処理装置１００の注文入力画面データ送信部１２０は、銘柄名と注文入力画面の送信要求と顧客ＩＤを顧客の端末装置１０から受信すると、受信した銘柄名が予め入力された注文入力画面を端末装置１０に表示するための注文入力画面データを生成し（ステップＳ２４）、生成した注文入力画面データを顧客の端末装置１０に送信する（ステップＳ２６）。
【００５２】
顧客の端末装置１０は、注文入力画面データを注文処理装置１００から受信すると、受信した注文入力画面データに従って注文入力画面を表示する（ステップＳ２８）。注文入力画面には予め銘柄名が株式売買注文の注文条件として入力されており、顧客は、株式売買注文の他の注文条件を注文入力画面に入力し（ステップＳ３０）、顧客の端末装置１０は、注文入力画面に入力された株式売買注文の注文条件と発注要求と顧客ＩＤを注文処理装置１００に送信する（ステップＳ３２）。例えば、顧客が株式売買注文の他の注文条件を注文入力画面に入力して注文入力画面の発注ボタンをクリック操作することで、顧客の端末装置１０は、注文入力画面に予め入力された銘柄名と株式売買注文の他の注文条件からなる当該株式売買注文の注文条件と、発注要求と顧客ＩＤを、注文処理装置１００に送信するようにしてもよい。なお、注文入力画面については上記第１の実施形態において図６を参照して説明したのでここでの説明を省略する。
【００５３】
注文処理装置１００の発注処理部１２２は、株式売買注文の注文条件と発注要求と顧客ＩＤを顧客の端末装置１０から受信すると、受信した当該注文条件の株式売買注文を識別するための注文識別番号（注文ＩＤ）を採番し、顧客ＩＤに対応付けて注文ＩＤと注文条件を第１の売買履歴ＤＢ１１２Ａに格納する。なお、顧客の端末装置１０からの注文条件は、銘柄名と売買区分と注文数量と注文値段を含んでおり、発注処理部１２２は注文条件に含まれる銘柄名を変換テーブルを用いて銘柄コードに変換し、変換した当該銘柄コードと売買区分と注文数量と注文値段とデフォルト値の売買日時と注文ＩＤを顧客ＩＤに対応付けて第１の売買履歴ＤＢ１１２Ａに格納するようになっている。次に、発注処理部１２２は、銘柄コードと売買区分と注文数量と注文値段からなる注文条件と注文ＩＤとを含む注文入力電文を生成し、生成した当該注文入力電文を証券取引所の売買システム２００に送信することで株式売買注文の発注処理を行う（ステップＳ３４）。そして発注処理部１２２は、株式売買注文の発注完了を示す発注完了画面を端末装置１０に表示するための発注完了画面データを生成し、生成した当該発注完了画面データを顧客の端末装置１０に送信する（ステップＳ３６）。顧客の端末装置１０は、注文処理装置１００から発注完了画面データを受信すると、受信した発注完了画面データに従って発注完了画面を表示する（ステップＳ３８）。
【００５４】
その後、発注処理部１２２は、株式売買注文が約定したことを示す約定成立通知であって当該株式売買注文の注文ＩＤと約定日時を含む約定成立通知を証券取引所から受信すると、約定成立通知に含まれる注文ＩＤに対応付けて約定日時を売買日時として第１の売買履歴ＤＢ１１２Ａに格納することで約定処理を行う（ステップＳ４０）。また、約定成立通知に含まれる注文ＩＤに対応付けて第１の売買履歴ＤＢ１１２Ａに格納されている顧客ＩＤ並びに注文条件の銘柄コード及び売買区分を読み出し、当該顧客ＩＤ並びに注文条件の銘柄コード及び売買区分に対応付けて第２の売買履歴ＤＢ１１２Ｂに格納されている売買回数に対して１回加算することで、第２の売買履歴ＤＢ１１２Ｂに格納されている売買回数の更新を行い（ステップＳ４２）、例えば売買区分が「買」を示すときは当該顧客ＩＤ並びに注文条件の銘柄コード及び当該売買区分に対応付けて第２の売買履歴ＤＢ１１２Ｂに格納されている買回数に対して１回加算し、売買区分が「売」を示すときは当該顧客ＩＤ並びに注文条件の銘柄コード及び当該売買区分に対応付けて第２の売買履歴ＤＢ１１２Ｂに格納されている売回数に対して１回加算する。
【００５５】
図８は、図７の注文処理装置１００と顧客の端末装置１０で行われる処理動作を示す上記図４のフローチャートのステップＳ１８において、顧客の端末装置１０に表示される銘柄選択画面を例示する説明図である。
図８（Ａ）は、上記図４のフローチャートのステップＳ１８において、顧客の端末装置１０に表示される銘柄選択画面の第３の例を示す説明図である。図８（Ａ）の銘柄選択画面は、銘柄コード又は銘柄名を入力するための入力欄２０１と、検索ボタン２０２と、顧客の株式売買履歴を表す第１の表示欄２０３と直近銘柄（直近提供銘柄）を表す第２の表示欄２０５を有している。顧客の株式売買履歴を表す第１の表示欄２０３では、顧客が過去に売買した株式の銘柄名とその売買区分を売買日時順に表形式で表しており、売買日時が新しい銘柄名から順に上側から単一又は複数銘柄が表示され、銘柄名をポインタで特定してマウスでクリック操作することで当該銘柄名が入力欄２０１に入力されるようになっている。また、直近銘柄を表す第２の表示欄２０５では、顧客が直近に個別株式情報を要求した個別株式情報の銘柄の銘柄名を表形式で表しており、銘柄名をポインタで特定してマウスでクリック操作することで当該銘柄名が入力欄２０１に入力されるようになっている。図８（Ａ）の銘柄選択画面における顧客の株式売買履歴を表す第１の表示欄２０３では、売買履歴として「１．×××」と「買」が対応付けて表示されており、当該顧客の直近の買付銘柄が銘柄名「×××」であったことを示しており、直近銘柄を表す第２の表示欄２０５では、銘柄名「×××」が表示されており、当該顧客が直近に個別株式情報を要求した銘柄が銘柄名「×××」であったことを示している。なお、銘柄コード「××××」の銘柄名を「×××」として例示しており、銘柄コード「××××」と銘柄名「×××」が変換テーブルで対応付けられているものとする。
【００５６】
図８（Ａ）に示す銘柄選択画面が、上記図４のフローチャートのステップＳ１８で顧客の端末装置１０に表示されるようにするため、例えば上記図４のフローチャートのステップＳ１２〜Ｓ１６において、注文処理装置１００の銘柄選択画面データ送信部１１０は、銘柄選択画面の送信要求及び顧客ＩＤを顧客の端末装置１０から受信すると、受信した当該顧客ＩＤに対応付けて第１の売買履歴ＤＢ１１２Ａに格納されている株式売買注文の銘柄コードと売買区分と売買日時のうちで売買日時がデフォルト値でないものを第１の売買履歴ＤＢ１１２Ａから読み出す（ステップＳ１２）とともに、受信した当該顧客ＩＤに対応付けて直近提供銘柄格納部１３４に格納されている直近銘柄の銘柄コードを読み出し、読み出した（約定済みの）株式売買注文の銘柄コードと直近銘柄の銘柄コードを変換テーブルにより銘柄名に変換して株式売買注文の銘柄名と売買区分を売買日時順に所定の銘柄数について表形式で表す第１の表示欄２０３及び直近銘柄の銘柄名を表形式で表す第２の表示欄２０５と銘柄コード又は銘柄名の入力欄２０１と入力欄２０１に対応する検索ボタン２０２を有する銘柄選択画面を端末装置１０に表示するための銘柄選択画面データを生成し（ステップＳ１４）、生成した銘柄選択画面データを顧客の端末装置１０に送信する（ステップＳ１６）構成としてもよい。
【００５７】
図８（Ｂ）は、上記図４のフローチャートのステップＳ１８において、顧客の端末装置１０に表示される銘柄選択画面の第４の例を示す説明図である。図８（Ｂ）の銘柄選択画面は、銘柄コード又は銘柄名を入力するための入力欄２０１と、検索ボタン２０２と、顧客の株式売買履歴を表す第１の表示欄２０４と直近銘柄を表す第２の表示欄２０５を有している。顧客の株式売買履歴を表す第１の表示欄２０４では、顧客が過去に売買した株式の銘柄名とその売買区分を売買回数順に表形式で表しており、売買回数が多い銘柄名から順に上側から単一又は複数銘柄が表示され、銘柄名をポインタで特定してマウスでクリック操作することで当該銘柄名が入力欄２０１に入力されるようになっている。また、直近銘柄を表す第２の表示欄２０５では、顧客が直近に個別株式情報を要求した個別株式情報の銘柄の銘柄名を表形式で表しており、銘柄名をポインタで特定してマウスでクリック操作することで当該銘柄名が入力欄２０１に入力されるようになっている。図８（Ｂ）の銘柄選択画面における顧客の株式売買履歴を表す第１の表示欄２０４では、売買履歴を示す売買回数として１番目の銘柄名「×××」と買回数「２７回」と売回数「１２回」が対応付けて第１の銘柄別表示欄に表示されており、２番目の銘柄名「○○○」と買回数「１０回」と売回数「１１回」が対応付けて第１の銘柄別表示欄の下側に隣接する第２の銘柄別表示欄に表示されており、当該顧客の銘柄名「×××」の株式銘柄の買回数が２７回であるとともに売回数が１２回であることを示しており、また、銘柄名「○○○」の株式銘柄の買回数が１０回であるとともに売回数が１１回であることを示しており、直近銘柄を表す第２の表示欄２０５では、銘柄名「×××」が表示されており、当該顧客が直近に個別株式情報を要求した銘柄が銘柄名「×××」であったことを示している。なお、銘柄コード「××××」の銘柄名を「×××」として例示しており、銘柄コード「○○○○」の銘柄名を「○○○」として例示しており、銘柄コード「××××」と銘柄名「×××」が変換テーブルで対応付けられているとともに、銘柄コード「○○○○」と銘柄名「○○○」が変換テーブルで対応付けられているものとする。
【００５８】
図８（Ｂ）に示す銘柄選択画面が、上記図４のフローチャートのステップＳ１８で顧客の端末装置１０に表示されるようにするため、例えば上記図４のフローチャートのステップＳ１２〜Ｓ１６において、注文処理装置１００の銘柄選択画面データ送信部１１０は、銘柄選択画面の送信要求及び顧客ＩＤを顧客の端末装置１０から受信すると、受信した当該顧客ＩＤに対応付けて第２の売買履歴ＤＢ１１２Ｂに格納されている株式の銘柄コードと買回数と売回数を第２の売買履歴ＤＢ１１２Ｂから読み出す（ステップＳ１２）とともに、受信した当該顧客ＩＤに対応付けて直近提供銘柄格納部１３４に格納されている直近銘柄の銘柄コードを直近提供銘柄格納部１３４から読み出し、読み出した株式の銘柄コード及び直近銘柄の銘柄コードを変換テーブルにより銘柄名に変換して株式の銘柄名と買回数と売回数を回数順に所定の銘柄数について表形式で表す第１の表示欄２０４及び直近銘柄の銘柄名を表形式で表す第２の表示欄２０５と銘柄名又は銘柄コードの入力欄２０１と入力欄２０１に対応する検索ボタン２０２を有する銘柄選択画面を端末装置１０に表示するための銘柄選択画面データを生成し（ステップＳ１４）、生成した銘柄選択画面データを顧客の端末装置１０に送信する（ステップＳ１６）構成としてもよく、例えば買回数が多い順に銘柄名と当該銘柄の買回数及び売回数を対応付けて表示する構成としてもよく、例えば売回数が多い順に銘柄名と当該銘柄の売回数及び買回数を対応付けて表示する構成としてもよい。
【００５９】
このように、第２の実施形態の注文処理装置１００によれば、顧客は端末装置１０の銘柄選択画面に表示された複数の銘柄名のうち所望の銘柄を選択して検索ボタン２０２を操作することにより、選択した銘柄名が予め入力された注文入力画面を端末装置１０に表示させることができる。銘柄選択画面に銘柄名が表示された銘柄は、当該顧客の過去の株式売買履歴に基づく銘柄と当該顧客が個別株式情報を直近に要求した銘柄をそれぞれ示すものであり、顧客は当該顧客の過去の株式売買履歴と個別株式情報の閲覧履歴を参照しつつ注文銘柄を選択することができ、顧客の株式売買履歴及び個別株式情報の閲覧履歴という当該顧客独自の情報を勘案して株式売買注文の注文条件の注文銘柄を設定することができる利点がある。
【００６０】
上記第１及び第２の実施形態では、銘柄選択画面データ送信部１１０が銘柄選択画面データを端末装置１０に送信して銘柄選択画面を表示させ、注文入力画面データ生成部１２０が注文入力画面データを端末装置１０に送信して注文入力画面を表示させる構成を例示したが、銘柄選択画面データ生成部１１０が銘柄識別情報以外の注文条件の入力欄を有する銘柄選択画面を端末装置１０に表示するための銘柄選択画面データを生成する構成としてもよく、このような第３の実施形態について以下に説明する。
【００６１】
第３の実施形態に係る注文処理装置１００は、銘柄選択画面データ送信部１１０と、注文入力画面データ送信部１２０と、発注処理部１２２と、売買履歴格納部の一例である売買履歴データベース（売買履歴ＤＢ）１１２を有する。売買履歴ＤＢ１１２は、顧客が過去に売買した株式の銘柄識別情報を、当該株式を売買した売買日時及び当該顧客を識別するための顧客識別情報（顧客ＩＤ）に対応付けて格納する。この売買履歴ＤＢ１１２は、第１の売買履歴ＤＢ１１２Ａと第２の売買履歴ＤＢ１１２Ｂからなり、上記第１の実施形態において図３を参照して説明したのでここでの説明を省略する。
【００６２】
銘柄選択画面データ送信部１１０は、銘柄選択画面の送信要求と顧客を識別するための顧客ＩＤを顧客の端末装置１０から受け取り、受け取った顧客ＩＤに対応付けて売買履歴ＤＢ１１２に格納されている売買履歴データに基づき、当該顧客が過去に売買した株式銘柄を含む売買履歴の表示欄と当該株式銘柄の注文条件を入力するための入力欄を有する銘柄選択画面を端末装置１０に表示するための銘柄選択画面データを生成し、生成した当該銘柄選択画面データを顧客の端末装置１０に送信して銘柄選択画面を表示させる。
【００６３】
注文入力画面データ送信部１２０は、顧客の端末装置１０に表示された銘柄選択画面における上記表示欄の銘柄識別情報から顧客により選択された銘柄識別情報と注文入力画面の送信要求を顧客の端末装置１０から受け取った場合に、受け取った当該銘柄識別情報が予め入力された注文入力画面を端末装置１０に表示するための注文入力画面データを生成し、生成した当該注文入力画面データを顧客の端末装置１０に送信して注文入力画面を表示させる。
【００６４】
発注処理部１２２は、顧客の端末装置１０に表示された銘柄選択画面に入力された株式売買注文の注文条件又は顧客の端末装置１０に表示された注文入力画面に入力された株式売買注文の注文条件を顧客の端末装置１０から受け取り、受け取った当該注文条件の株式売買注文を識別するための注文識別番号（注文ＩＤ）を採番し、当該注文条件及び注文ＩＤを含む注文入力電文を生成して証券取引所の売買システム２００に送信することにより株式売買注文の発注処理を行う。なお、銘柄選択画面データ送信部１１０、注文入力画面データ送信部１２０、発注処理部１２２及び売買履歴ＤＢ１１２の処理動作をコンピュータに行わせるためのプログラムを注文処理装置１００にインストールし、注文処理装置１００のコンピュータに銘柄選択画面データ送信部１１０、注文入力画面データ送信部１２０、発注処理部１２２及び売買履歴ＤＢ１１２の処理動作を行わせる構成としてもよい。
【００６５】
図９は、第３の実施形態に係る注文処理装置１００と顧客の端末装置１０で行われる処理動作を例示するフローチャートである。先ず、顧客の端末装置１０は、銘柄選択画面の送信要求と顧客の顧客ＩＤを注文処理装置１００に送信する（ステップＳ１０）。例えば、顧客は端末装置１０でブラウザにより証券会社のウェブページ（ホームページ）を画面表示し、表示されたホームページで株式売買注文を行うためのウェブサイトにジャンプする表示ボタンをマウスでクリック操作することで、端末装置１０から顧客ＩＤと銘柄選択画面の送信要求が注文処理装置１００に送信されるようにしてもよく、顧客の端末装置１０は当該顧客の顧客ＩＤをブラウザの記憶手段に記憶して注文処理装置１００へのアクセス毎に当該顧客の顧客ＩＤを自動的に注文処理装置１００に送信する構成としてもよい。
【００６６】
注文処理装置１００の銘柄選択画面データ送信部１１０は、銘柄選択画面の送信要求及び顧客ＩＤを顧客の端末装置１０から受信すると、受信した当該顧客ＩＤに対応付けて売買履歴ＤＢ１１２に格納されている売買履歴データであって売買日時を示す情報がデフォルト値でないものを売買履歴ＤＢ１１２から読み出す（ステップＳ１２）。そして、銘柄選択画面データ送信部１１０は、読み出した売買履歴データに含まれる各銘柄コードを変換テーブルを用いて銘柄名に変換し、変換した当該銘柄名を含む売買履歴の表示欄と変換した当該銘柄名の銘柄を注文銘柄とする株式売買注文についての銘柄識別情報以外の注文条件の入力欄を有する銘柄選択画面を端末装置１０に表示するための銘柄選択画面データを生成し（ステップＳ１４）、生成した銘柄選択画面データを顧客の端末装置１０に送信する（ステップＳ１６）。
【００６７】
顧客の端末装置１０は、銘柄選択画面データを注文処理装置１００から受信すると、受信した銘柄選択画面データに従って銘柄選択画面を表示する（ステップＳ１８）。顧客は、銘柄選択画面において株式売買注文の銘柄識別情報以外の注文条件の入力欄に注文条件を入力し（ステップＳ１９）、顧客の端末装置１０は、入力欄に入力された株式売買注文の注文条件と当該株式売買注文の注文銘柄の銘柄名と、発注要求と顧客ＩＤを、注文処理装置１００に送信する（ステップＳ３２）。例えば、顧客が銘柄選択画面において株式売買注文の銘柄識別情報以外の注文条件の入力欄に注文条件を入力し、当該株式売買注文の発注ボタンをクリック操作することで、顧客の端末装置１０は、入力欄に入力された株式売買注文の注文条件と当該株式売買注文の注文銘柄の銘柄名と、発注要求と顧客ＩＤを、注文処理装置１００に送信するようにしてもよい。
【００６８】
注文処理装置１００の発注処理部１２２は、株式売買注文の注文条件と発注要求と顧客ＩＤを顧客の端末装置１０から受信すると、受信した当該注文条件の株式売買注文を識別するための注文識別番号（注文ＩＤ）を採番し、顧客ＩＤに対応付けて注文ＩＤと注文条件を第１の売買履歴ＤＢ１１２Ａに格納する。銘柄選択画面において株式売買注文の銘柄識別情報以外の注文条件の入力欄に入力された株式売買注文の銘柄識別情報以外の注文条件と当該株式売買注文の銘柄名と発注要求と顧客ＩＤを顧客の端末装置１０から受信すると、受信した注文条件（受信した株式売買注文の銘柄識別情報以外の注文条件と当該株式売買注文の銘柄名からなるもの）の株式売買注文を識別するための注文識別番号（注文ＩＤ）を採番し、顧客ＩＤに対応付けて注文ＩＤと当該注文条件を第１の売買履歴ＤＢ１１２Ａに格納する。なお、顧客の端末装置１０から株式売買注文の銘柄名と売買区分と注文数量と注文値段を受け取ると、発注処理部１２２は受け取った銘柄名を変換テーブルにより銘柄コードに変換し、変換した当該銘柄コードと売買区分と注文数量と注文値段とデフォルト値の売買日時と注文ＩＤを顧客ＩＤに対応付けて第１の売買履歴ＤＢ１１２Ａに格納するようになっている。次に、発注処理部１２２は、銘柄コードと売買区分と注文数量と注文値段からなる注文条件と注文ＩＤとを含む注文入力電文を生成し、生成した当該注文入力電文を証券取引所の売買システム２００に送信することで株式売買注文の発注処理を行う（ステップＳ３４）。そして発注処理部１２２は、株式売買注文の発注完了を示す発注完了画面を端末装置１０に表示するための発注完了画面データを生成し、生成した当該発注完了画面データを顧客の端末装置１０に送信する（ステップＳ３６）。顧客の端末装置１０は、注文処理装置１００から発注完了画面データを受信すると、受信した発注完了画面データに従って発注完了画面を表示する（ステップＳ３８）。
【００６９】
その後、発注処理部１２２は、株式売買注文が約定したことを示す約定成立通知であって当該株式売買注文の注文ＩＤと約定日時を含む約定成立通知を証券取引所から受信すると、約定成立通知に含まれる注文ＩＤに対応付けて約定日時を売買日時として第１の売買履歴ＤＢ１１２Ａに格納することで約定処理を行う（ステップＳ４０）。また、約定成立通知に含まれる注文ＩＤに対応付けて第１の売買履歴ＤＢ１１２Ａに格納されている顧客ＩＤ並びに注文条件の銘柄コード及び売買区分を読み出し、当該顧客ＩＤ並びに注文条件の銘柄コード及び売買区分に対応付けて第２の売買履歴ＤＢ１１２Ｂに格納されている売買回数に対して１回加算することで、第２の売買履歴ＤＢ１１２Ｂに格納されている売買回数の更新を行い（ステップＳ４２）、例えば売買区分が「買」を示すときは当該顧客ＩＤ並びに注文条件の銘柄コード及び当該売買区分に対応付けて第２の売買履歴ＤＢ１１２Ｂに格納されている買回数に対して１回加算し、売買区分が「売」を示すときは当該顧客ＩＤ並びに注文条件の銘柄コード及び当該売買区分に対応付けて第２の売買履歴ＤＢ１１２Ｂに格納されている売回数に対して１回加算する。
【００７０】
図１０は、図９のフローチャートのステップＳ１８において、顧客の端末装置１０に表示される銘柄選択画面を例示する説明図である。
図１０（Ａ）は、図９のフローチャートのステップＳ１８において、顧客の端末装置１０に表示される銘柄選択画面の第１の例を示す説明図である。図１０（Ａ）の銘柄選択画面は、銘柄コード又は銘柄名を入力する入力欄２０１と、検索ボタン２０２と、顧客の株式売買履歴の表示欄２０３と当該表示欄２０３に表示された銘柄名の銘柄に対する注文条件を入力するための入力欄２０６を有しており、表示欄２０３と入力欄２０６が隣接して配置されている。顧客の株式売買履歴の表示欄２０３では、顧客が過去に売買した株式の銘柄名とその売買区分を売買日時順に表形式で表しており、売買日時が新しい銘柄名から順に上側から単一又は複数銘柄が表示され、銘柄名をポインタで特定してマウスでクリック操作することで当該銘柄名が入力欄２０１に入力されるようになっている。図１０（Ａ）の銘柄選択画面における顧客の株式売買履歴の表示欄２０３では、売買履歴として「１．×××」と「買」が対応付けて表示されており、当該顧客の直近の買付銘柄が銘柄名「×××」であったことを示している。なお、銘柄コード「××××」の銘柄名を「×××」として例示しており、銘柄コード「××××」と銘柄名「×××」が変換テーブルで対応付けられているものとする。また、売買履歴の表示欄２０３に表示された銘柄の注文条件の入力欄２０６では、売買区分を選択するためのプルダウンメニューを用いた売買区分入力欄と、注文数量を入力するための注文数量入力欄と、注文値段を入力するための注文値段入力欄と、発注要求を出すための発注ボタンが設けられており、注文値段入力欄では、指値注文を指定するとともに注文単価（指値）を入力するための注文単価入力欄と、成行注文を指定するためのチェックボタンからなる成行指定入力欄が設けられている。また、例えば顧客の端末装置１０に表示された図１０（Ａ）の銘柄選択画面において、顧客が銘柄名「×××」に対応付けて表示された当該銘柄の株式売買注文の売買区分の入力欄に売買区分を選択して入力し、当該銘柄の株式売買注文の注文数量の入力欄に注文数量を入力し、当該銘柄の株式売買注文の注文値段の入力欄に注文値段を入力し、当該銘柄の株式売買注文の発注ボタンをクリック操作することにより、端末装置１０は当該銘柄名「×××」並びに入力欄に入力された売買区分、注文数量及び注文値段と、発注要求と、顧客の顧客ＩＤを、注文処理装置１００に送信するようになっている。
【００７１】
図１０（Ａ）に示す銘柄選択画面が、図９のフローチャートのステップＳ１８で顧客の端末装置１０に表示されるようにするため、例えば図９のフローチャートのステップＳ１２〜Ｓ１６において、注文処理装置１００の銘柄選択画面データ送信部１１０は、銘柄選択画面の送信要求及び顧客ＩＤを顧客の端末装置１０から受信すると、受信した当該顧客ＩＤに対応付けて第１の売買履歴ＤＢ１１２Ａに格納されている株式売買注文の銘柄コードと売買区分と売買日時のうちで売買日時がデフォルト値でないものを第１の売買履歴ＤＢ１１２Ａから読み出し（ステップＳ１２）、例えば受信した当該顧客ＩＤに対応付けて第１の売買履歴ＤＢ１１２Ａに格納されている株式売買注文の銘柄コードと売買区分と売買日時のうちで売買日時がデフォルト値でないものを売買日時順に所定の銘柄数について第１の売買履歴ＤＢ１１２Ａから読み出し、読み出した株式売買注文の銘柄コードを変換テーブルにより銘柄名に変換して株式売買注文の銘柄名と売買区分を売買日時順に所定の銘柄数について表形式で表す表示欄２０３と当該銘柄名の銘柄を注文銘柄とする株式売買注文についての銘柄識別情報以外の注文条件を入力する入力欄２０６と銘柄名又は銘柄コードの入力欄２０１と入力欄２０１に対応する検索ボタン２０２を有する銘柄選択画面を端末装置１０に表示するための銘柄選択画面データを生成し（ステップＳ１４）、生成した銘柄選択画面データを顧客の端末装置１０に送信する（ステップＳ１６）構成としてもよい。なお、表示欄２０３に表示された銘柄名をポインタで特定してマウスクリックすることにより当該銘柄名を入力欄２０１に入力して検索ボタン２０２をクリック操作する場合における発注処理までの処理動作は、第１の実施形態における図４のフローチャートのステップＳ２０〜Ｓ３４と同様であるため、その説明を省略する。
【００７２】
図１０（Ｂ）は、図９のフローチャートのステップＳ１８において、顧客の端末装置１０に表示される銘柄選択画面の第２の例を示す説明図である。図１０（Ｂ）の銘柄選択画面は、銘柄コード又は銘柄名を入力する入力欄２０１と、検索ボタン２０２と、顧客の株式売買履歴の表示欄２０４と当該表示欄２０４に表示された銘柄名の銘柄に対する注文条件を入力するための入力欄２０６を有しており、表示欄２０３と入力欄２０６が隣接して配置されている。顧客の株式売買履歴の表示欄２０４では、顧客が過去に売買した株式の銘柄名とその売買区分を売買回数順に表形式で表しており、売買回数が多い銘柄名から順に上側から単一又は複数銘柄が表示され、銘柄名をポインタで特定してマウスでクリック操作することで当該銘柄名が入力欄２０１に入力されるようになっている。図１０（Ｂ）の銘柄選択画面における顧客の株式売買履歴の表示欄２０４では、売買履歴を示す売買回数として１番目の銘柄名「×××」と買回数「２７回」と売回数「１２回」が対応付けて第１の銘柄別表示欄に表示されており、２番目の銘柄名「○○○」と買回数「１０回」と売回数「１１回」が対応付けて第１の銘柄別表示欄の下側に隣接する第２の銘柄別表示欄に表示されており、当該顧客の銘柄名「×××」の株式銘柄の買回数が２７回であるとともに売回数が１２回であることを示しており、また、銘柄名「○○○」の株式銘柄の買回数が１０回であるとともに売回数が１１回であることを示している。なお、銘柄コード「××××」の銘柄名を「×××」として例示しており、銘柄コード「○○○○」の銘柄名を「○○○」として例示しており、銘柄コード「××××」と銘柄名「×××」が変換テーブルで対応付けられているとともに、銘柄コード「○○○○」と銘柄名「○○○」が変換テーブルで対応付けられているものとする。また、売買履歴の表示欄２０４に表示された銘柄の注文条件の入力欄２０６では、売買区分を選択するためのプルダウンメニューを用いた売買区分入力欄と、注文数量を入力するための注文数量入力欄と、注文値段を入力するための注文値段入力欄と、発注要求を出すための発注ボタンが設けられており、注文値段入力欄では、指値注文を指定するとともに注文単価（指値）を入力するための注文単価入力欄と、成行注文を指定するためのチェックボタンからなる成行指定入力欄が設けられている。また、例えば顧客の端末装置１０に表示された図１０（Ｂ）の銘柄選択画面において、顧客が銘柄名「×××」に対応付けて表示された当該銘柄の株式売買注文の売買区分の入力欄に売買区分を選択して入力し、当該銘柄の株式売買注文の注文数量の入力欄に注文数量を入力し、当該銘柄の株式売買注文の注文値段の入力欄に注文値段を入力し、当該銘柄の株式売買注文の発注ボタンをクリック操作することにより、端末装置１０は当該銘柄名「×××」並びに入力欄に入力された売買区分、注文数量及び注文値段と、発注要求と顧客の顧客ＩＤを、注文処理装置１００に送信するようになっている。
【００７３】
図１０（Ｂ）に示す銘柄選択画面が、図９のフローチャートのステップＳ１８で顧客の端末装置１０に表示されるようにするため、例えば図９のフローチャートのステップＳ１２〜Ｓ１６において、注文処理装置１００の銘柄選択画面データ送信部１１０は、銘柄選択画面の送信要求及び顧客ＩＤを顧客の端末装置１０から受信すると、受信した当該顧客ＩＤに対応付けて第２の売買履歴ＤＢ１１２Ｂに格納されている株式の銘柄コードと買回数と売回数を第２の売買履歴ＤＢ１１２Ｂから読み出し（ステップＳ１２）、読み出した株式の銘柄コードを変換テーブルにより銘柄名に変換して株式の銘柄名と買回数と売回数を回数順に所定の銘柄数について表形式で表す表示欄２０４と当該銘柄名の銘柄を注文銘柄とする株式売買注文についての銘柄識別情報以外の注文条件を入力する入力欄２０６と銘柄名又は銘柄コードの入力欄２０１と入力欄２０１に対応する検索ボタン２０２を有する銘柄選択画面を端末装置１０に表示するための銘柄選択画面データを生成し（ステップＳ１４）、生成した銘柄選択画面データを顧客の端末装置１０に送信する（ステップＳ１６）構成としてもよく、例えば買回数が多い順に銘柄名と当該銘柄の買回数及び売回数を対応付けて表示する構成としてもよく、例えば売回数が多い順に銘柄名と当該銘柄の売回数及び買回数を対応付けて表示する構成としてもよい。なお、表示欄２０４に表示された銘柄名をポインタで特定してマウスクリックすることにより当該銘柄名を入力欄２０１に入力して検索ボタン２０２をクリック操作する場合における発注処理までの処理動作は、第１の実施形態における図４のフローチャートのステップＳ２０〜Ｓ３４と同様であるため、その説明を省略する。
【００７４】
このように、第３の実施形態の注文処理装置１００によれば、顧客は端末装置１０に表示された銘柄選択画面で顧客の株式売買履歴という当該顧客独自の情報を勘案して株式売買注文の注文条件を設定することができる利点がある。また、顧客は銘柄選択画面の注文条件注力欄で注文条件を入力することできるので、第１及び第２の実施形態のように銘柄選択画面で銘柄選択して当該銘柄の注文条件を注文入力画面に入力する場合に比べて顧客は迅速に所望の銘柄の株式売買注文を出すことができる。特に図１０（Ｂ）の銘柄選択画面に示すように顧客の売買回数が多い銘柄を注文銘柄とする株式売買注文についての銘柄識別情報以外の注文条件を顧客が入力するための入力欄を表示して注文銘柄の銘柄識別情報の入力を不要とすることで、売買回数の多い銘柄の株式売買注文の注文条件を入力する手間を軽減することができ、顧客は売買回数の多い銘柄の株式売買注文を迅速に出すことができ、例えば特定銘柄の株式売買を頻繁に繰り返すディトレーダーに好適なシステムを提供することができる。
【００７５】
上記第３の実施形態の変形例として、銘柄選択画面データ送信部１１０は、株式売買注文の売買区分と銘柄選択画面の送信要求と顧客の顧客ＩＤを顧客の端末装置１０から受け取り、受け取った顧客ＩＤに対応付けて第２の売買履歴ＤＢ１１２Ｂに格納されている銘柄識別情報及び売買回数に基づき、売買回数が大きいほうの銘柄識別情報の銘柄を注文銘柄とする当該売買区分の株式売買注文についての売買区分及び銘柄識別情報以外の注文条件の入力欄を有する銘柄選択画面を端末装置１０に表示するための銘柄選択画面データを生成し、生成した銘柄選択画面データを顧客の端末装置１０に送信して銘柄選択画面を表示させ、発注処理部１２２は、銘柄選択画面の上記入力欄に顧客により入力された当該注文銘柄の株式売買注文の注文条件と当該株式売買注文の売買区分及び銘柄識別情報と発注要求と顧客の顧客ＩＤを顧客の端末装置１０から受け取り、受け取った当該注文銘柄の株式売買注文の注文条件と当該株式売買注文の売買区分及び銘柄識別情報と当該株式売買注文の注文識別情報を顧客の顧客ＩＤに対応付けて第１の売買履歴ＤＢ１１２Ａに格納するとともに、受け取った当該注文銘柄の株式売買注文の注文条件と当該株式売買注文の売買区分及び銘柄識別情報と当該株式売買注文の注文ＩＤを含む注文入力電文を証券取引所に送信することにより株式売買注文の発注処理を行う構成としてもよい。
【００７６】
第３の実施形態の変形例に係る銘柄選択画面の一例としては、銘柄選択画面は銘柄コード又は銘柄名を入力する入力欄２０１と、検索ボタン２０２と、顧客の株式売買履歴の表示欄２０４と当該表示欄２０４に表示された銘柄名の銘柄に対する注文条件を入力するための入力欄２０６と、顧客の端末装置１０から銘柄選択画面の送信要求とともに受け取った株式売買注文の売買区分を表す売買区分表示欄を有しており、表示欄２０３と入力欄２０６が隣接して配置されている。顧客の株式売買履歴の表示欄２０４では、顧客が過去に売買した株式の銘柄名とその売買区分を売買回数順に表形式で表しており、売買回数が多い銘柄名から順に上側から単一又は複数銘柄が表示され、銘柄名をポインタで特定してマウスでクリック操作することで当該銘柄名が入力欄２０１に入力されるようになっている。また、売買履歴の表示欄２０４に表示された銘柄の注文条件の入力欄２０６では、注文数量を入力するための注文数量入力欄と、注文値段を入力するための注文値段入力欄と、発注要求を出すための発注ボタンが設けられており、注文値段入力欄では、指値注文を指定するとともに注文単価（指値）を入力するための注文単価入力欄と、成行注文を指定するためのチェックボタンからなる成行指定入力欄が設けられている。例えば顧客の端末装置１０に表示された銘柄選択画面において、顧客が銘柄名「×××」に対応付けて表示された当該銘柄の株式売買注文の注文数量の入力欄に注文数量を入力し、当該銘柄の株式売買注文の注文値段の入力欄に注文値段を入力し、当該銘柄の株式売買注文の発注ボタンをクリック操作することにより、端末装置１０は当該銘柄名「×××」及び当該株式売買注文の売買区分並びに入力欄に入力された注文数量及び注文値段と、発注要求と顧客の顧客ＩＤを、注文処理装置１００に送信するようになっている。
【００７７】
第３の実施形態の変形例に係る銘柄選択画面が、図９のフローチャートのステップＳ１８で顧客の端末装置１０に表示されるようにするため、例えば図９のフローチャートのステップＳ１０〜Ｓ１６において、顧客の端末装置１０は、株式売買注文の売買区分と銘柄選択画面の送信要求と顧客の顧客ＩＤを注文処理装置１００に送信し（ステップＳ１０）、一例として顧客は端末装置１０でブラウザにより証券会社のウェブページ（ホームページ）を画面表示し、表示されたホームページで買注文又は売注文の株式売買注文を行うためのウェブサイトにジャンプする表示ボタンをマウスでクリック操作することで、端末装置１０から当該買注文又は売注文に対応する売買区分と顧客ＩＤと銘柄選択画面の送信要求が注文処理装置１００に送信されるようにしてもよく、顧客の端末装置１０は当該顧客の顧客ＩＤをブラウザの記憶手段に記憶して注文処理装置１００へのアクセス毎に当該顧客の顧客ＩＤを自動的に注文処理装置１００に送信する構成としてもよい。注文処理装置１００の銘柄選択画面データ送信部１１０は、株式売買注文の売買区分、銘柄選択画面の送信要求及び顧客ＩＤを顧客の端末装置１０から受信すると、受信した当該顧客ＩＤに対応付けて第２の売買履歴ＤＢ１１２Ｂに格納されている株式の銘柄コードと買回数と売回数を第２の売買履歴ＤＢ１１２Ｂから読み出し（ステップＳ１２）、読み出した株式の銘柄コードを変換テーブルにより銘柄名に変換して株式の銘柄名と買回数と売回数を回数順に所定の銘柄数について表形式で表す表示欄２０４と当該銘柄名の銘柄を注文銘柄とする上記売買区分の株式売買注文についての売買区分及び銘柄識別情報以外の注文条件を入力する入力欄２０６と顧客の端末装置１０から銘柄選択画面の送信要求とともに受け取った株式売買注文の売買区分を表す売買区分表示欄と銘柄名又は銘柄コードの入力欄と当該入力欄に対応する検索ボタンとを有する銘柄選択画面を端末装置１０に表示するための銘柄選択画面データを生成し（ステップＳ１４）、生成した銘柄選択画面データを顧客の端末装置１０に送信する（ステップＳ１６）構成としてもよい。
【００７８】
第３の実施形態の変形例に係る銘柄選択画面の他の例としては、銘柄選択画面は複数の株式売買注文の注文条件を入力するための入力欄を有し、銘柄選択画面データ送信部１１０は、銘柄選択画面データを顧客の端末装置１０に送信し、複数の株式売買注文の注文条件を入力するための入力欄のうち銘柄識別情報の入力欄に、売買回数の大きい順の複数の銘柄識別情報が売買回数の大きい順に表示画面の上側の入力欄から順に入力された銘柄選択画面であって、複数の株式売買注文の注文条件を入力するための入力欄のうち売買区分の入力欄に、顧客の端末装置１０から銘柄選択画面の送信要求とともに受け取った株式売買注文の売買区分が入力された銘柄選択画面を、顧客の端末装置１０に表示させるようにしてもよい。
【００７９】
図１１は、本発明の第４の実施形態に係る注文処理装置１００の構成例を示すブロック図である。この注文処理装置１００は、個別株式情報送信部１３０と、アクセス回数格納部１３６と、銘柄識別情報が示す銘柄の個別株式情報を格納する銘柄情報データベース（銘柄情報ＤＢ）１３２と、注文入力画面データ送信部１２０と、発注処理部１２２と、売買履歴格納部の一例である売買履歴データベース（売買履歴ＤＢ）１１２を有する。売買履歴ＤＢ１１２は、顧客が過去に売買した株式の銘柄識別情報を、当該株式を売買した売買日時及び当該顧客を識別するための顧客ＩＤに対応付けて格納する。この売買履歴ＤＢ１１２は、第１の売買履歴ＤＢ１１２Ａと第２の売買履歴ＤＢ１１２Ｂからなり、上記第１の実施形態において図３を参照して説明したのでここでの説明を省略する。銘柄情報ＤＢ１３２は、個別株式の銘柄コードに対応付けて当該銘柄コードが示す銘柄の個別株式情報を格納し、銘柄の個別株式情報としては例えば当該銘柄の株式会社の決算データ及び株価チャート等を格納する。
【００８０】
個別株式情報送信部１３０は、顧客を識別するための顧客ＩＤと個別株式の銘柄コードと個別株式情報の送信要求を顧客の端末装置１０から受け取り、受け取った銘柄コードに対応付けられた個別株式情報を銘柄情報ＤＢ１３２から読み出して顧客の端末装置１０に送信する。
【００８１】
アクセス回数格納部１３６は、顧客の端末装置１０から顧客の顧客ＩＤ及び個別株式情報の送信要求とともに受け取った銘柄コードに対して銘柄情報ＤＢ１３２で対応付けられた個別株式情報を顧客の端末装置１０に送信する個別株式情報送信部１３０による銘柄情報ＤＢ１３２へのアクセス回数と最新アクセス時刻を、顧客の顧客ＩＤ及び銘柄コードに対応付けて格納する。個別株式情報送信部１３０は、顧客の端末装置１０から顧客の顧客ＩＤ及び個別株式情報の送信要求とともに受け取った銘柄コードに対して銘柄情報ＤＢ１３２で対応付けられた個別株式情報を銘柄情報ＤＢ１３２から読み出した場合に、当該個別株式情報を読み出した読出時刻を最新アクセス時刻として当該銘柄コード及び顧客の顧客ＩＤに対応付けてアクセス回数格納部１３６に格納するとともに当該銘柄コード及び顧客の顧客ＩＤに対応付けてアクセス回数格納部１３６に格納されているアクセス回数に対して１回加算することによりアクセス回数格納部１３６のアクセス回数及び最新アクセス時刻を更新する。
【００８２】
注文入力画面データ送信部１２０は、注文入力画面の送信要求と顧客の顧客ＩＤを顧客の端末装置１０から受け取り、受け取った顧客ＩＤに対応付けてアクセス回数格納部１３６に格納されている銘柄コードと当該銘柄コードが示す銘柄の個別株式情報へのアクセス回数とに基づき、個別株式情報へのアクセス回数が大きいほうの銘柄コードの銘柄を注文銘柄とする株式売買注文についての銘柄識別情報以外の注文条件の入力欄を有する注文入力画面を端末装置１０に表示するための注文入力画面データを生成し、生成した当該注文入力画面データを顧客の端末装置１０に送信して注文入力画面を表示させる。
【００８３】
発注処理部１２２は、顧客の端末装置１０に表示された注文入力画面に入力された注文条件を顧客の端末装置１０から受け取り、受け取った当該注文条件の株式売買注文を識別するための注文識別番号（注文ＩＤ）を採番し、当該注文条件及び注文ＩＤを含む注文入力電文を生成して証券取引所の売買システム２００に送信することにより株式売買注文の発注処理を行う。なお、個別株式情報送信部１３０、アクセス回数柄格納部１３６、銘柄情報ＤＢ１３２、注文入力画面データ送信部１２０、発注処理部１２２及び売買履歴ＤＢ１１２の処理動作をコンピュータに行わせるためのプログラムを注文処理装置１００にインストールし、注文処理装置１００のコンピュータに個別株式情報送信部１３０、アクセス回数格納部１３６、銘柄情報ＤＢ１３２、注文入力画面データ送信部１２０、発注処理部１２２及び売買履歴ＤＢ１１２の処理動作を行わせる構成としてもよい。
【００８４】
図１２は、アクセス回数格納部１３６に格納されるデータをテーブル形式で示す説明図である。アクセス回数格納部１３６は、顧客の顧客ＩＤ及び銘柄コードに対応付けて、当該銘柄コードが示す銘柄の個別株式情報についての銘柄情報ＤＢ１３２に対する当該顧客のアクセス回数と最新アクセス時刻を格納する。例えば、アクセス回数格納部１３６をリレーショナル・データベース（ＲＤＢ）により構成し、顧客を識別するための顧客ＩＤを格納するための顧客ＩＤフィールドと、銘柄コードを格納するための銘柄コードフィールドと、アクセス回数を格納するためのアクセス回数フィールドと、最新アクセス時刻を格納するための最新アクセス時刻フィールドをレコード毎に設け、同一レコードに格納される顧客の顧客ＩＤと、銘柄コードと、アクセス回数と、最新アクセス時刻を互いに対応付けるようにしてもよい。図１２のアクセス回数格納部１３６では、顧客ＩＤ「Ｕ００１」及び銘柄コード「○○○○」に対応付けてアクセス回数「２４回」及び最新アクセス時刻「２００６年○月○日○時○分」が格納されており、顧客ＩＤ「Ｕ００１」及び銘柄コード「△△△△」に対応付けてアクセス回数「２１回」及び最新アクセス時刻「２００６年△月△日△時△分」が格納されており、顧客ＩＤ「Ｕ００１」及び銘柄コード「××××」に対応付けてアクセス回数「１５回」及び最新アクセス時刻「２００６年×月×日×時×分」が格納されている。なお、アクセス回数格納部１３６は、顧客の顧客ＩＤ及び銘柄コードに対応付けて、当該銘柄コードが示す銘柄についての銘柄情報ＤＢ１３２に対する当該顧客の所定期間（一例として過去１年間）のアクセス回数と最新アクセス時刻を格納するようにしてもよく、例えば顧客の顧客ＩＤ及び銘柄コードに対応付けて、当該銘柄コードが示す銘柄の個別株式情報についての銘柄情報ＤＢ１３２に対する当該顧客のアクセス時刻を格納するとともに過去所定期間内のアクセス時刻の個数をカウントした当該所定期間内のアクセス回数を格納するようにしてもよい。
【００８５】
図１３は、図１１に示す第４の実施形態に係る注文処理装置１００と顧客の端末装置１０で行われる処理動作を例示するフローチャートである。先ず、顧客の端末装置１０は、注文入力画面の送信要求と顧客ＩＤを注文処理装置１００に送信する（ステップＳ５０）。例えば、顧客は端末装置１０でブラウザにより証券会社のウェブページ（ホームページ）を画面表示し、表示されたホームページで株式売買注文を行うためのウェブサイトにジャンプする表示ボタンをマウスでクリック操作することで、端末装置１０から顧客ＩＤと注文入力画面の送信要求が注文処理装置１００に送信されるようにしてもよく、顧客の端末装置１０は当該顧客の顧客ＩＤをブラウザの記憶手段に記憶して注文処理装置１００へのアクセス毎に当該顧客の顧客ＩＤを自動的に注文処理装置１００に送信する構成としてもよい。
【００８６】
注文処理装置１００の注文入力画面データ送信部１２０は、注文入力画面の送信要求と顧客ＩＤを顧客の端末装置１０から受信すると、受信した当該顧客ＩＤに対応付けてアクセス回数格納部１３６に格納されている銘柄コード及びアクセス回数をアクセス回数格納部１３６から読み出し（ステップＳ５２）、例えば受信した当該顧客ＩＤに対応付けてアクセス回数格納部１３６に格納されている銘柄コード及びアクセス回数のうちアクセス回数が大きいほうの上位所定数の銘柄コードとアクセス回数を読み出す。この場合に、受信した当該顧客ＩＤに対応付けてアクセス回数格納部１３６に格納されているアクセス回数のうち上位所定数のアクセス回数を検出し、検出したアクセス回数及び顧客ＩＤに対応付けてアクセス回数格納部１３６に格納されている銘柄コードを読み出すようにしてもよい。そして、注文入力画面データ送信部１２０は、アクセス回数格納部１３６から取得した銘柄コードと当該銘柄コードが示す銘柄の個別株式情報へのアクセス回数とに基づき、個別株式情報へのアクセス回数が多いほうの銘柄コードの銘柄を注文銘柄とする株式売買注文についての銘柄識別情報以外の注文条件の入力欄を有する注文入力画面を端末装置１０に表示するための注文入力画面データを生成し（ステップＳ５４）、生成した当該注文入力画面データを顧客の端末装置１０に送信する（ステップＳ５６）。なお、注文入力画面データ送信部１２０は、アクセス回数格納部１３６から取得した銘柄コードと当該銘柄コードが示す銘柄の個別株式情報へのアクセス回数について変換テーブルを用いて銘柄コードを銘柄名に変換し、個別株式情報へのアクセス回数が多いほうの銘柄名の銘柄を注文銘柄とする株式売買注文についての銘柄識別情報以外の注文条件の入力欄を有する注文入力画面を端末装置１０に表示するための注文入力画面データを生成するようになっている。
【００８７】
顧客の端末装置１０は、注文入力画面データを注文処理装置１００から受信すると、受信した注文入力画面データに従って注文入力画面を表示する（ステップＳ５８）。顧客は、注文入力画面において株式売買注文の銘柄識別情報以外の注文条件の入力欄に注文条件を入力し（ステップＳ６０）、顧客の端末装置１０は、入力欄に入力された株式売買注文の注文条件と当該株式売買注文の注文銘柄の銘柄名と、発注要求と顧客ＩＤを、注文処理装置１００に送信する（ステップＳ３２）。例えば、顧客が注文入力画面において株式売買注文の銘柄識別情報以外の注文条件の入力欄に注文条件を入力し、当該株式売買注文の発注ボタンをクリック操作することで、顧客の端末装置１０は、入力欄に入力された株式売買注文の注文条件と当該株式売買注文の注文銘柄の銘柄名と、発注要求と顧客ＩＤを、注文処理装置１００に送信するようにしてもよい。
【００８８】
注文処理装置１００の発注処理部１２２は、株式売買注文の注文条件と発注要求と顧客ＩＤを顧客の端末装置１０から受信すると、受信した当該注文条件の株式売買注文を識別するための注文識別番号（注文ＩＤ）を採番し、顧客ＩＤに対応付けて注文ＩＤと注文条件を第１の売買履歴ＤＢ１１２Ａに格納する。注文入力画面において株式売買注文の銘柄識別情報以外の注文条件の入力欄に入力された株式売買注文の銘柄識別情報以外の注文条件と当該株式売買注文の銘柄名と発注要求と顧客ＩＤを顧客の端末装置１０から受信すると、受信した注文条件（受信した株式売買注文の銘柄識別情報以外の注文条件と当該株式売買注文の銘柄名からなるもの）の株式売買注文を識別するための注文識別番号（注文ＩＤ）を採番し、顧客ＩＤに対応付けて注文ＩＤと当該注文条件を第１の売買履歴ＤＢ１１２Ａに格納する。なお、顧客の端末装置１０から株式売買注文の銘柄名と売買区分と注文数量と注文値段を受け取ると、発注処理部１２２は受け取った銘柄名を変換テーブルにより銘柄コードに変換し、変換した当該銘柄コードと売買区分と注文数量と注文値段とデフォルト値の売買日時と注文ＩＤを顧客ＩＤに対応付けて第１の売買履歴ＤＢ１１２Ａに格納するようになっている。次に、発注処理部１２２は、銘柄コードと売買区分と注文数量と注文値段からなる注文条件と注文ＩＤとを含む注文入力電文を生成し、生成した当該注文入力電文を証券取引所の売買システム２００に送信することで株式売買注文の発注処理を行う（ステップＳ３４）。そして発注処理部１２２は、株式売買注文の発注完了を示す発注完了画面を端末装置１０に表示するための発注完了画面データを生成し、生成した当該発注完了画面データを顧客の端末装置１０に送信する（ステップＳ３６）。顧客の端末装置１０は、注文処理装置１００から発注完了画面データを受信すると、受信した発注完了画面データに従って発注完了画面を表示する（ステップＳ３８）。
【００８９】
その後、発注処理部１２２は、株式売買注文が約定したことを示す約定成立通知であって当該株式売買注文の注文ＩＤと約定日時を含む約定成立通知を証券取引所から受信すると、約定成立通知に含まれる注文ＩＤに対応付けて約定日時を売買日時として第１の売買履歴ＤＢ１１２Ａに格納することで約定処理を行う（ステップＳ４０）。また、約定成立通知に含まれる注文ＩＤに対応付けて第１の売買履歴ＤＢ１１２Ａに格納されている顧客ＩＤ並びに注文条件の銘柄コード及び売買区分を読み出し、当該顧客ＩＤ並びに注文条件の銘柄コード及び売買区分に対応付けて第２の売買履歴ＤＢ１１２Ｂに格納されている売買回数に対して１回加算することで、第２の売買履歴ＤＢ１１２Ｂに格納されている売買回数の更新を行い（ステップＳ４２）、例えば売買区分が「買」を示すときは当該顧客ＩＤ並びに注文条件の銘柄コード及び当該売買区分に対応付けて第２の売買履歴ＤＢ１１２Ｂに格納されている買回数に対して１回加算し、売買区分が「売」を示すときは当該顧客ＩＤ並びに注文条件の銘柄コード及び当該売買区分に対応付けて第２の売買履歴ＤＢ１１２Ｂに格納されている売回数に対して１回加算する。
【００９０】
図１４は、図１３のフローチャートのステップＳ５８において、顧客の端末装置１０に表示される注文入力画面を例示する説明図である。
図１４（Ａ）は、図１３のフローチャートのステップＳ５８において、顧客の端末装置１０に表示される注文入力画面の第１の例を示す説明図である。図１４（Ａ）の注文入力画面は、銘柄以外の注文条件を顧客が入力するための注文条件入力欄２０７ａと、銘柄を含む注文条件を顧客が入力するための注文条件入力欄２０７ｂを有しており、注文条件入力欄２０７ｂには銘柄名又は銘柄コードからなる銘柄識別情報を入力するための銘柄識別情報入力欄が設けられている。注文条件入力欄２０７ａ，２０７ｂには、売買区分を選択するためのプルダウンメニューを用いた売買区分入力欄と、注文数量を入力するための注文数量入力欄と、注文値段を入力するための注文値段入力欄と、発注要求を出すための発注ボタンが設けられており、注文値段入力欄では、指値注文を指定するとともに注文単価（指値）を入力するための注文単価入力欄と、成行注文を指定するためのチェックボタンからなる成行指定入力欄が設けられている。注文条件入力欄２０７ａの銘柄名の表示欄は、図１２のアクセス回数格納部１３６の格納データに示すように、アクセス回数の大きい銘柄コードの銘柄名がアクセス回数の大きい順に表示画面の上側から順に表形式で表しており、単一銘柄よりも複数銘柄を表示することが望ましい。なお、銘柄コード「○○○○」の銘柄名を「○○○」として例示しており、銘柄コード「△△△△」の銘柄名を「△△△」として例示しており、銘柄コード「××××」の銘柄名を「×××」として例示しており、銘柄コード「○○○○」と銘柄名「○○○」が変換テーブルで対応付けられており、銘柄コード「△△△△」と銘柄名「△△△」が変換テーブルで対応付けられており、銘柄コード「××××」と銘柄名「×××」が変換テーブルで対応付けられているものとする。
【００９１】
また、例えば顧客の端末装置１０に表示された図１４（Ａ）の注文入力画面の注文条件入力欄２０７ａにおいて、顧客が銘柄名「○○○」に対応付けて表示された当該銘柄の株式売買注文の売買区分の入力欄に売買区分を選択して入力し、当該銘柄の株式売買注文の注文数量の入力欄に注文数量を入力し、当該銘柄の株式売買注文の注文値段の入力欄に注文値段を入力し、当該銘柄の株式売買注文の発注ボタンをクリック操作することにより、端末装置１０は当該銘柄名「○○○」並びに入力欄に入力された売買区分、注文数量及び注文値段と、発注要求と顧客の顧客ＩＤを、注文処理装置１００に送信するようになっている。
また、例えば顧客の端末装置１０に表示された図１４（Ａ）の注文入力画面の注文条件入力欄２０７ｂにおいて、顧客が注文銘柄の銘柄識別情報入力欄に銘柄名「○○○」を入力し、当該銘柄識別情報入力欄に対応付けて表示された当該株式売買注文の売買区分の入力欄に売買区分を選択して入力し、当該株式売買注文の注文数量の入力欄に注文数量を入力し、当該株式売買注文の注文値段の入力欄に注文値段を入力し、当該株式売買注文の発注ボタンをクリック操作することにより、端末装置１０は当該銘柄名「○○○」並びに入力欄に入力された売買区分、注文数量及び注文値段と、発注要求と顧客の顧客ＩＤを、注文処理装置１００に送信するようになっている。
【００９２】
図１４（Ａ）に示す注文入力画面が、図１３のフローチャートのステップＳ５８で顧客の端末装置１０に表示されるようにするため、例えば図１３のフローチャートのステップＳ５２〜Ｓ５６において、注文処理装置１００の注文入力画面データ送信部１２０は、注文入力画面の送信要求及び顧客ＩＤを顧客の端末装置１０から受信すると、受信した当該顧客ＩＤに対応付けてアクセス回数格納部１３６に格納されている銘柄コードと当該銘柄コードが示す銘柄の個別株式情報へのアクセス回数をアクセス回数格納部１３６から読み出し（ステップＳ５２）、読み出した銘柄コードを変換テーブルにより銘柄名に変換して当該銘柄名をアクセス回数の大きい順に所定の銘柄数について表形式で表す表示欄と当該銘柄名の銘柄を注文銘柄とする株式売買注文についての銘柄以外の注文条件を入力する入力欄からなる第１の注文条件入力欄２０７ａと銘柄を含む注文条件を入力する入力欄からなる第２の注文条件入力欄２０７ｂとを有する注文条件入力欄２０７が設けられた注文入力画面を端末装置１０に表示するための注文入力画面データを生成し（ステップＳ５４）、生成した注文入力画面データを顧客の端末装置１０に送信する（ステップＳ５６）構成としてもよい。
【００９３】
図１４（Ｂ）は、図１３のフローチャートのステップＳ５８において、顧客の端末装置１０に表示される注文入力画面の第２の例を示す説明図である。図１４（Ｂ）の注文入力画面には、銘柄以外の注文条件を顧客が入力するための注文条件入力欄２０７ａ，２０７ｃと、銘柄を含む注文条件を顧客が入力するための注文条件入力欄２０７ｂを有しており、注文条件入力欄２０７ｂには銘柄名又は銘柄コードからなる銘柄識別情報を入力するための銘柄識別情報入力欄が設けられている。注文条件入力欄２０７ａ，２０７ｂ，２０７ｃには、売買区分を選択するためのプルダウンメニューを用いた売買区分入力欄と、注文数量を入力するための注文数量入力欄と、注文値段を入力するための注文値段入力欄と、発注要求を出すための発注ボタンが設けられており、注文値段入力欄では、指値注文を指定するとともに注文単価（指値）を入力するための注文単価入力欄と、成行注文を指定するためのチェックボタンからなる成行指定入力欄が設けられている。注文条件入力欄２０７ａの銘柄名の表示欄は、図１２のアクセス回数格納部１３６の格納データに示すように、アクセス回数の大きい銘柄コードの銘柄名がアクセス回数の大きい順に表示画面の上側から順に表形式で表しており、単一銘柄よりも複数銘柄を表示することが望ましい。なお、銘柄コード「○○○○」の銘柄名を「○○○」として例示しており、銘柄コード「△△△△」の銘柄名を「△△△」として例示しており、銘柄コード「××××」の銘柄名を「×××」として例示しており、銘柄コード「○○○○」と銘柄名「○○○」が変換テーブルで対応付けられており、銘柄コード「△△△△」と銘柄名「△△△」が変換テーブルで対応付けられており、銘柄コード「××××」と銘柄名「×××」が変換テーブルで対応付けられているものとする。
【００９４】
また、図１４（Ｂ）の注文入力画面で注文条件入力欄２０７ｃの銘柄名の表示欄に表示された銘柄名は、アクセス回数格納部１３６で顧客ＩＤに対応付けられた最新アクセス時刻のうちで最も新しい時刻である銘柄コードに対応する銘柄名となっており、（一例として図１２のアクセス回数格納部１３６で顧客ＩＤ「Ｕ００１」に対応付けられた最新アクセス時刻のうち最も新しい時刻は２００６年△月△日△時△分となっており、その銘柄コード「△△△△」に対応する銘柄名は「△△△」となっており）、注文入力画面データ生成部１２０は、顧客ＩＤをキーとして用いることでアクセス回数格納部１３６で顧客の顧客ＩＤに対応付けて格納された銘柄コード及び最新アクセス時刻から顧客が直近に個別株式情報の送信要求を出した銘柄の銘柄コードを検出できるようになっている。なお、図１４（Ｂ）の注文入力画面における株式売買注文の注文条件の入力方法は、図１４（Ａ）の注文入力画面の場合と同様であるため、その説明を省略する。
【００９５】
図１４（Ｂ）に示す注文入力画面が、図１３のフローチャートのステップＳ５８で顧客の端末装置１０に表示されるようにするため、例えば図１３のフローチャートのステップＳ５２〜Ｓ５６において、注文処理装置１００の注文入力画面データ送信部１２０は、注文入力画面の送信要求及び顧客ＩＤを顧客の端末装置１０から受信すると、受信した当該顧客ＩＤに対応付けてアクセス回数格納部１３６に格納されている銘柄コードと当該銘柄コードが示す銘柄の個別株式情報へのアクセス回数と当該個別株式情報への最新アクセス時刻をアクセス回数格納部１３６から読み出し（ステップＳ５２）、読み出した銘柄コードを変換テーブルにより銘柄名に変換し、変換した当該銘柄名をアクセス回数の大きい順に所定の銘柄数について表形式で表す表示欄と当該銘柄名の銘柄を注文銘柄とする株式売買注文についての銘柄以外の注文条件を入力する入力欄からなる第１の注文条件入力欄２０７ａと銘柄を含む注文条件を入力する入力欄からなる第２の注文条件入力欄２０７ｂと個別株式情報への最新アクセス時刻が最新の時刻である銘柄の銘柄名の表示欄と当該銘柄の注文銘柄とする株式売買注文についての銘柄以外の注文条件を入力する入力欄からなる第３の注文条件入力欄２０７ｃとを有する注文条件入力欄２０７が設けられた注文入力画面を端末装置１０に表示するための注文入力画面データを生成し（ステップＳ５４）、生成した注文入力画面データを顧客の端末装置１０に送信する（ステップＳ５６）構成としてもよい。
【００９６】
このように、図１１に示す第４の実施形態に係る注文処理装置１００によれば、顧客は端末装置１０に表示された注文入力画面で顧客の個別株式情報のアクセス履歴という当該顧客独自の情報を勘案して株式売買注文の注文条件を設定することができる利点がある。また、注文入力画面では顧客が銘柄情報ＤＢ１３２の個別株式情報にアクセスするアクセス回数が大きい銘柄の銘柄名が注文銘柄の銘柄名とされているので、アクセス回数の少ない銘柄に比べて注文銘柄の銘柄識別情報を入力する手間を省くことができる。これにより、顧客は、個別株式情報へのアクセス回数が多い銘柄すなわち顧客の関心の高い銘柄につき、アクセス回数が少ない銘柄すなわち顧客の関心の低い銘柄に比べて、株式売買注文の注文条件を入力する手間を減らすことができ、迅速に株式売買注文を出すことが可能となる。
【００９７】
上記第４の実施形態の変形例として、注文入力画面データ送信部１２０は、株式売買注文の売買区分と注文入力画面の送信要求と顧客の顧客ＩＤを顧客の端末装置１０から受け取り、受け取った顧客ＩＤに対応付けてアクセス回数格納部１３６に格納されている銘柄コードと当該銘柄コードが示す銘柄の個別株式情報へのアクセス回数とに基づき、アクセス回数が大きいほうの銘柄コードの銘柄を注文銘柄とする上記売買区分の株式売買注文についての売買区分及び銘柄識別情報以外の注文条件の入力欄を有する注文入力画面を端末装置１０に表示するための注文入力画面データを生成し、生成した当該注文入力画面データを顧客の端末装置１０に送信して注文入力画面を表示させ、発注処理部１２２は、注文入力画面の上記入力欄に顧客により入力された当該注文銘柄の株式売買注文の注文条件と当該株式売買注文の売買区分及び銘柄識別情報と発注要求と顧客の顧客ＩＤを顧客の端末装置１０から受け取り、受け取った当該注文銘柄の株式売買注文の注文条件と当該株式売買注文の売買区分及び銘柄識別情報を含む注文入力電文を証券取引所に送信することにより株式売買注文の発注処理を行う構成としてもよい。
【００９８】
第４の実施形態の変形例に係る注文入力画面の一例としては、注文入力画面は売買区分及び銘柄以外の注文条件を顧客が入力するための注文条件入力欄２０７ａと、売買区分以外の注文条件を顧客が入力するための注文条件入力欄２０７ｂと、顧客の端末装置１０から注文入力画面の送信要求とともに受け取った株式売買注文の売買区分を示す売買区分表示欄を有しており、注文条件入力欄２０７ｂには銘柄名又は銘柄コードからなる銘柄識別情報を入力するための銘柄入力欄が設けられている。注文条件入力欄２０７ａ，２０７ｂには、注文数量を入力するための注文数量入力欄と、注文値段を入力するための注文値段入力欄と、発注要求を出すための発注ボタンが設けられており、注文値段入力欄では、指値注文を指定するとともに注文単価（指値）を入力するための注文単価入力欄と、成行注文を指定するためのチェックボタンからなる成行指定入力欄が設けられている。注文条件入力欄２０７ａの銘柄名の表示欄は、アクセス回数格納部１３６の格納データに基づいてアクセス回数の大きい銘柄コードの銘柄名がアクセス回数の大きい順に表示画面の上側から順に表形式で表すものであり、単一銘柄よりも複数銘柄を表示することが望ましい。例えば顧客の端末装置１０に表示された注文入力画面の注文条件入力欄２０７ａにおいて、顧客が銘柄名「○○○」に対応付けて表示された当該銘柄の株式売買注文の注文数量の入力欄に注文数量を入力し、当該銘柄の株式売買注文の注文値段の入力欄に注文値段を入力し、当該銘柄の株式売買注文の発注ボタンをクリック操作することにより、端末装置１０は当該銘柄名「○○○」及び当該株式売買注文の売買区分並びに入力欄に入力された注文数量及び注文値段と、発注要求と顧客の顧客ＩＤを、注文処理装置１００に送信するようになっている。
【００９９】
第４の実施形態の変形例に係る注文入力画面が、図１３のフローチャートのステップＳ５８で顧客の端末装置１０に表示されるようにするため、例えば図１３のフローチャートのステップＳ５０〜Ｓ５６において、顧客の端末装置１０は、株式売買注文の売買区分と注文入力画面の送信要求と顧客の顧客ＩＤを注文処理装置１００に送信し（ステップＳ５０）、一例として顧客は端末装置１０でブラウザにより証券会社のウェブページ（ホームページ）を画面表示し、表示されたホームページで買注文又は売注文の株式売買注文を行うためのウェブサイトにジャンプする表示ボタンをマウスでクリック操作することで、端末装置１０から当該買注文又は売注文に対応する売買区分と顧客ＩＤと注文入力画面の送信要求が注文処理装置１００に送信されるようにしてもよく、顧客の端末装置１０は当該顧客の顧客ＩＤをブラウザの記憶手段に記憶して注文処理装置１００へのアクセス毎に当該顧客の顧客ＩＤを自動的に注文処理装置１００に送信する構成としてもよい。注文処理装置１００の注文入力画面データ送信部１２０は、株式売買注文の売買区分、注文入力画面の送信要求及び顧客ＩＤを顧客の端末装置１０から受信すると、受信した当該顧客ＩＤに対応付けてアクセス回数格納部１３６に格納されている銘柄コードと当該銘柄コードが示す銘柄の個別株式情報へのアクセス回数をアクセス回数格納部１３６から読み出し（ステップＳ５２）、読み出した銘柄コードを変換テーブルにより銘柄名に変換して当該銘柄名をアクセス回数の大きい順に所定の銘柄数について表形式で表す表示欄と当該銘柄名の銘柄を注文銘柄とする上記売買区分の株式売買注文についての売買区分及び銘柄以外の注文条件を入力する入力欄からなる第１の注文条件入力欄２０７ａと売買区分以外の注文条件を入力する入力欄からなる第２の注文条件入力欄２０７ｂとを有する注文条件入力欄２０７と顧客の端末装置１０から注文入力画面の送信要求とともに受け取った株式売買注文の売買区分を示す売買区分表示欄が設けられた注文入力画面を端末装置１０に表示するための注文入力画面データを生成し（ステップＳ５４）、生成した注文入力画面データを顧客の端末装置１０に送信する（ステップＳ５６）構成としてもよい。
【０１００】
第４の実施形態の変形例に係る注文入力画面の他の例としては、注文入力画面は複数の株式売買注文の注文条件を入力するための入力欄を有し、注文入力画面データ送信部１２０は、注文入力画面データを顧客の端末装置１０に送信し、複数の株式売買注文の注文条件を入力するための入力欄のうち銘柄識別情報の入力欄に、アクセス回数の大きい順の複数の銘柄識別情報がアクセス回数の大きい順に表示画面の上側の入力欄から順に入力された注文入力画面であって、複数の株式売買注文の注文条件を入力するための入力欄のうち売買区分の入力欄に、顧客の端末装置１０から注文入力画面の送信要求とともに受け取った株式売買注文の売買区分が入力された注文入力画面を、顧客の端末装置１０に表示させるようにしてもよい。
【０１０１】
図１５は、本発明の第５の実施形態に係る注文処理装置１００の構成例を示すブロック図である。この注文処理装置１００は、個別株式情報送信部１３０と、表示時間計測部１３７と、積算表示時間格納部１３８と、銘柄識別情報が示す銘柄の個別株式情報を格納する銘柄情報データベース（銘柄情報ＤＢ）１３２と、注文入力画面データ送信部１２０と、発注処理部１２２と、売買履歴格納部の一例である売買履歴データベース（売買履歴ＤＢ）１１２を有する。売買履歴ＤＢ１１２は、顧客が過去に売買した株式の銘柄識別情報を、当該株式を売買した売買日時及び当該顧客を識別するための顧客ＩＤに対応付けて格納する。この売買履歴ＤＢ１１２は、第１の売買履歴ＤＢ１１２Ａと第２の売買履歴ＤＢ１１２Ｂからなり、上記第１の実施形態において図３を参照して説明したのでここでの説明を省略する。銘柄情報ＤＢ１３２は、個別株式の銘柄コードに対応付けて当該銘柄コードが示す銘柄の個別株式情報を格納し、銘柄の個別株式情報としては例えば当該銘柄の株式会社の決算データ及び株価チャート等を格納する。
【０１０２】
個別株式情報送信部１３０は、顧客を識別するための顧客ＩＤと個別株式の銘柄コードと個別株式情報の送信要求を顧客の端末装置１０から受け取り、受け取った銘柄コードに対応付けられた個別株式情報を銘柄情報ＤＢ１３２から読み出して顧客の端末装置１０に送信する。
【０１０３】
表示時間計測部１３７は、顧客の端末装置１０から顧客の顧客ＩＤ及び個別株式情報の送信要求とともに受け取った銘柄コードに対して銘柄情報ＤＢ１３２で対応付けされた個別株式情報を送信する個別株式情報送信部１３０により顧客の端末装置１０に送信された個別株式情報が顧客の端末装置１０で表示された表示時間を計測する。例えば、個別株式情報送信部１３０は、顧客の顧客ＩＤと個別株式の銘柄コードと個別株式情報の送信要求を顧客の端末装置１０から受け取ると、受け取った銘柄コードに対応付けられた個別株式情報を銘柄情報ＤＢ１３２から読み出し、読み出した当該個別株式情報を顧客の端末装置１０に送信して当該送信時刻と銘柄コードと顧客ＩＤを対応付けて個別株式情報送信部１３０内の送信格納部に格納し、その後に当該顧客の顧客ＩＤと個別株式の銘柄コードと個別株式情報の送信要求又は顧客の顧客ＩＤと個別株式情報以外の要求を当該顧客の端末装置１０から受け取った場合に、当該送信要求等の要求を受け取った受取時刻と当該顧客の顧客ＩＤに対応付けて送信格納部に格納されている送信時刻との時間間隔を当該顧客の端末装置１０における上記送信格納部に格納された銘柄コードが示す銘柄の個別株式情報の表示時間として測定する構成としてもよい。
【０１０４】
積算表示時間格納部１３８は、個別株式情報が顧客の端末装置１０で表示された積算表示時間と銘柄情報ＤＢ１３２への最新アクセス時刻を、当該個別株式情報の銘柄を示す銘柄コード及び顧客の顧客ＩＤに対応付けて格納する。表示時間計測部１３７は、顧客の端末装置１０から顧客の顧客ＩＤ及び個別株式情報の送信要求とともに受け取った銘柄コードに対して銘柄情報ＤＢ１３２で対応付けされた個別株式情報を送信する個別株式情報送信部１３０により顧客の端末装置１０に送信された個別株式情報が顧客の端末装置１０で表示された表示時間を計測し、当該銘柄コード及び顧客の顧客ＩＤに対応付けて積算表示時間格納部１３８に格納されている積算表示時間に対して上記計測した表示時間を加算することにより積算表示時間格納部１３８の積算表示時間を更新する。また、個別株式情報送信部１３０は、顧客の端末装置１０から顧客の顧客ＩＤ及び個別株式情報の送信要求とともに受け取った銘柄コードに対して銘柄情報ＤＢ１３２で対応付けられた個別株式情報を銘柄情報ＤＢ１３２から読み出した場合に、当該個別株式情報を読み出した読出時刻を最新アクセス時刻として当該銘柄コード及び顧客の顧客ＩＤに対応付けて積算表示時間格納部１３８に格納することにより積算表示時間格納部１３８の最新アクセス時刻を更新する。
【０１０５】
注文入力画面データ送信部１２０は、注文入力画面の送信要求と顧客の顧客ＩＤを顧客の端末装置１０から受け取り、受け取った顧客ＩＤに対応付けて積算表示時間格納部１３８に格納されている銘柄コードと当該銘柄コードが示す銘柄の個別株式情報の積算表示時間とに基づき、個別株式情報の積算表示時間が長いほうの銘柄コードの銘柄を注文銘柄とする株式売買注文についての銘柄識別情報以外の注文条件の入力欄を有する注文入力画面を端末装置１０に表示するための注文入力画面データを生成し、生成した当該注文入力画面データを顧客の端末装置１０に送信して注文入力画面を表示させる。
【０１０６】
発注処理部１２２は、顧客の端末装置１０に表示された注文入力画面に入力された注文条件を顧客の端末装置１０から受け取り、受け取った当該注文条件の株式売買注文を識別するための注文識別番号（注文ＩＤ）を採番し、当該注文条件及び注文ＩＤを含む注文入力電文を生成して証券取引所の売買システム２００に送信することにより株式売買注文の発注処理を行う。なお、個別株式情報送信部１３０、表示時間計測部１３７、積算表示時間格納部１３８、銘柄情報ＤＢ１３２、注文入力画面データ送信部１２０、発注処理部１２２及び売買履歴ＤＢ１１２の処理動作をコンピュータに行わせるためのプログラムを注文処理装置１００にインストールし、注文処理装置１００のコンピュータに個別株式情報送信部１３０、表示時間計測部１３７、積算表示時間格納部１３８、銘柄情報ＤＢ１３２、注文入力画面データ送信部１２０、発注処理部１２２及び売買履歴ＤＢ１１２の処理動作を行わせる構成としてもよい。
【０１０７】
図１６は、積算表示時間格納部１３８に格納されるデータをテーブル形式で示す説明図である。積算表示時間格納部１３８は、顧客の顧客ＩＤ及び銘柄コードに対応付けて、表示時間計測部１３７により計測された当該銘柄コードが示す銘柄の個別株式情報が顧客の端末装置１０で表示された表示時間と、当該銘柄コードが示す銘柄の個別株式情報について銘柄情報ＤＢ１３２にアクセスした最新アクセス時刻を格納する。例えば、積算表示時間格納部１３８をリレーショナル・データベース（ＲＤＢ）により構成し、顧客を識別するための顧客ＩＤを格納するための顧客ＩＤフィールドと、銘柄コードを格納するための銘柄コードフィールドと、積算表示時間を格納するための積算表示時間フィールドと、最新アクセス時刻を格納するための最新アクセス時刻フィールドをレコード毎に設け、同一レコードに格納される顧客の顧客ＩＤと、銘柄コードと、積算表示時間と、最新アクセス時刻を互いに対応付けるようにしてもよい。図１６の積算表示時間格納部１３８では、顧客ＩＤ「Ｕ００１」及び銘柄コード「○○○○」に対応付けて積算表示時間「２４時間１０分」及び最新アクセス時刻「２００６年○月○日○時○分」が格納されており、顧客ＩＤ「Ｕ００１」及び銘柄コード「△△△△」に対応付けて積算表示時間「２１時間２０分」及び最新アクセス時刻「２００６年△月△日△時△分」が格納されており、顧客ＩＤ「Ｕ００１」及び銘柄コード「××××」に対応付けて積算表示時間「１５時間３０分」及び最新アクセス時刻「２００６年×月×日×時×分」が格納されている。なお、積算表示時間格納部１３８は、顧客の顧客ＩＤ及び銘柄コードに対応付けて、当該銘柄コードの銘柄についての銘柄情報ＤＢ１３２に対する当該顧客の所定期間（一例として過去１年間）の積算表示時間と最新アクセス時刻を格納するようにしてもよく、例えば顧客の顧客ＩＤ及び銘柄コードに対応付けて、当該銘柄コードが示す銘柄の個別株式情報の端末装置１０への送信時刻及び当該送信時刻後に端末装置１０から受け取った送信要求等の要求の受取時刻をペアで格納するとともに過去所定期間内に含まれる送信時刻及び受取時刻のペアの時間間隔を表示時間として積算した当該所定期間内の積算表示時間を格納するようにしてもよい。
【０１０８】
図１７は、図１５に示す第５の実施形態に係る注文処理装置１００と顧客の端末装置１０で行われる処理動作を例示するフローチャートである。先ず、顧客の端末装置１０は、注文入力画面の送信要求と顧客ＩＤを注文処理装置１００に送信する（ステップＳ５０）。例えば、顧客は端末装置１０でブラウザにより証券会社のウェブページ（ホームページ）を画面表示し、表示されたホームページで株式売買注文を行うためのウェブサイトにジャンプする表示ボタンをマウスでクリック操作することで、端末装置１０から顧客ＩＤと注文入力画面の送信要求が注文処理装置１００に送信されるようにしてもよく、顧客の端末装置１０は当該顧客の顧客ＩＤをブラウザの記憶手段に記憶して注文処理装置１００へのアクセス毎に当該顧客の顧客ＩＤを自動的に注文処理装置１００に送信する構成としてもよい。
【０１０９】
注文処理装置１００の注文入力画面データ送信部１２０は、注文入力画面の送信要求と顧客ＩＤを顧客の端末装置１０から受信すると、受信した当該顧客ＩＤに対応付けて積算表示時間格納部１３８に格納されている銘柄コード及び積算表示時間を積算表示時間格納部１３８から読み出し（ステップＳ５３）、例えば受信した当該顧客ＩＤに対応付けて積算表示時間格納部１３８に格納されている銘柄コード及び積算表示時間のうち積算表示時間が長いほうの上位所定数の銘柄コードと積算表示時間を読み出す。この場合に、受信した当該顧客ＩＤに対応付けて積算表示時間格納部１３８に格納されている積算表示時間のうち上位所定数の積算表示時間を検出し、検出した積算表示時間及び顧客ＩＤに対応付けて積算表示時間格納部１３８に格納されている銘柄コードを読み出すようにしてもよい。
そして、注文入力画面データ送信部１２０は、積算表示時間格納部１３８から取得した銘柄コードと当該銘柄コードが示す銘柄の個別株式情報の積算表示時間とに基づき、個別株式情報の積算表示時間が長いほうの銘柄コードの銘柄を注文銘柄とする株式売買注文についての銘柄識別情報以外の注文条件の入力欄を有する注文入力画面を端末装置１０に表示するための注文入力画面データを生成し（ステップＳ５４）、生成した当該注文入力画面データを顧客の端末装置１０に送信する（ステップＳ５６）。なお、注文入力画面データ送信部１２０は、積算表示時間格納部１３８から取得した銘柄コードと当該銘柄コードが示す銘柄の個別株式情報の積算表示時間について変換テーブルを用いて銘柄コードを銘柄名に変換し、個別株式情報の積算表示時間が長いほうの銘柄名の銘柄を注文銘柄とする株式売買注文についての銘柄識別情報以外の注文条件の入力欄を有する注文入力画面を端末装置１０に表示するための注文入力画面データを生成するようになっている。
【０１１０】
顧客の端末装置１０は、注文入力画面データを注文処理装置１００から受信すると、受信した注文入力画面データに従って注文入力画面を表示する（ステップＳ５８）。顧客は、注文入力画面において株式売買注文の銘柄識別情報以外の注文条件の入力欄に注文条件を入力し（ステップＳ６０）、顧客の端末装置１０は、入力欄に入力された株式売買注文の注文条件と当該株式売買注文の注文銘柄の銘柄名と、発注要求と顧客ＩＤを、注文処理装置１００に送信する（ステップＳ３２）。例えば、顧客が注文入力画面において株式売買注文の銘柄識別情報以外の注文条件の入力欄に注文条件を入力し、当該株式売買注文の発注ボタンをクリック操作することで、顧客の端末装置１０は、入力欄に入力された株式売買注文の注文条件と当該株式売買注文の注文銘柄の銘柄名と、発注要求と顧客ＩＤを、注文処理装置１００に送信するようにしてもよい。
【０１１１】
注文処理装置１００の発注処理部１２２は、株式売買注文の注文条件と発注要求と顧客ＩＤを顧客の端末装置１０から受信すると、受信した当該注文条件の株式売買注文を識別するための注文識別番号（注文ＩＤ）を採番し、顧客ＩＤに対応付けて注文ＩＤと注文条件を第１の売買履歴ＤＢ１１２Ａに格納する。注文入力画面において株式売買注文の銘柄識別情報以外の注文条件の入力欄に入力された株式売買注文の銘柄識別情報以外の注文条件と当該株式売買注文の銘柄名と発注要求と顧客ＩＤを顧客の端末装置１０から受信すると、受信した注文条件（受信した株式売買注文の銘柄識別情報以外の注文条件と当該株式売買注文の銘柄名からなるもの）の株式売買注文を識別するための注文識別番号（注文ＩＤ）を採番し、顧客ＩＤに対応付けて注文ＩＤと当該注文条件を第１の売買履歴ＤＢ１１２Ａに格納する。なお、顧客の端末装置１０から株式売買注文の銘柄名と売買区分と注文数量と注文値段を受け取ると、発注処理部１２２は受け取った銘柄名を変換テーブルにより銘柄コードに変換し、変換した当該銘柄コードと売買区分と注文数量と注文値段とデフォルト値の売買日時と注文ＩＤを顧客ＩＤに対応付けて第１の売買履歴ＤＢ１１２Ａに格納するようになっている。次に、発注処理部１２２は、銘柄コードと売買区分と注文数量と注文値段からなる注文条件と注文ＩＤとを含む注文入力電文を生成し、生成した当該注文入力電文を証券取引所の売買システム２００に送信することで株式売買注文の発注処理を行う（ステップＳ３４）。そして発注処理部１２２は、株式売買注文の発注完了を示す発注完了画面を端末装置１０に表示するための発注完了画面データを生成し、生成した当該発注完了画面データを顧客の端末装置１０に送信する（ステップＳ３６）。顧客の端末装置１０は、注文処理装置１００から発注完了画面データを受信すると、受信した発注完了画面データに従って発注完了画面を表示する（ステップＳ３８）。
【０１１２】
その後、発注処理部１２２は、株式売買注文が約定したことを示す約定成立通知であって当該株式売買注文の注文ＩＤと約定日時を含む約定成立通知を証券取引所から受信すると、約定成立通知に含まれる注文ＩＤに対応付けて約定日時を売買日時として第１の売買履歴ＤＢ１１２Ａに格納することで約定処理を行う（ステップＳ４０）。また、約定成立通知に含まれる注文ＩＤに対応付けて第１の売買履歴ＤＢ１１２Ａに格納されている顧客ＩＤ並びに注文条件の銘柄コード及び売買区分を読み出し、当該顧客ＩＤ並びに注文条件の銘柄コード及び売買区分に対応付けて第２の売買履歴ＤＢ１１２Ｂに格納されている売買回数に対して１回加算することで、第２の売買履歴ＤＢ１１２Ｂに格納されている売買回数の更新を行い（ステップＳ４２）、例えば売買区分が「買」を示すときは当該顧客ＩＤ並びに注文条件の銘柄コード及び当該売買区分に対応付けて第２の売買履歴ＤＢ１１２Ｂに格納されている買回数に対して１回加算し、売買区分が「売」を示すときは当該顧客ＩＤ並びに注文条件の銘柄コード及び当該売買区分に対応付けて第２の売買履歴ＤＢ１１２Ｂに格納されている売回数に対して１回加算する。
【０１１３】
先に参照した図１４は、図１３のフローチャートのステップＳ５８において、顧客の端末装置１０に表示される注文入力画面を例示する説明図であるが、図１７のフローチャートのステップＳ５８において、顧客の端末装置１０に表示される注文入力画面を例示する説明図でもある。そこで、図１７のフローチャートのステップＳ５８において、顧客の端末装置１０に表示される注文入力画面を、図１４を援用することで当該図１４を参照して説明する。
図１４（Ａ）は、図１７のフローチャートのステップＳ５８において、顧客の端末装置１０に表示される注文入力画面の第１の例を示す説明図である。図１４（Ａ）の注文入力画面は、銘柄以外の注文条件を顧客が入力するための注文条件入力欄２０７ａと、銘柄を含む注文条件を顧客が入力するための注文条件入力欄２０７ｂを有しており、注文条件入力欄２０７ｂには銘柄名又は銘柄コードからなる銘柄識別情報を入力するための銘柄識別情報入力欄が設けられている。注文条件入力欄２０７ａ，２０７ｂには、売買区分を選択するためのプルダウンメニューを用いた売買区分入力欄と、注文数量を入力するための注文数量入力欄と、注文値段を入力するための注文値段入力欄と、発注要求を出すための発注ボタンが設けられており、注文値段入力欄では、指値注文を指定するとともに注文単価（指値）を入力するための注文単価入力欄と、成行注文を指定するためのチェックボタンからなる成行指定入力欄が設けられている。注文条件入力欄２０７ａの銘柄名の表示欄は、図１６の積算表示時間格納部１３８の格納データに示すように、積算表示時間の長い銘柄コードの銘柄名が積算表示時間の長い順に表示画面の上側から順に表形式で表しており、単一銘柄よりも複数銘柄を表示することが望ましい。なお、銘柄コード「○○○○」の銘柄名を「○○○」として例示しており、銘柄コード「△△△△」の銘柄名を「△△△」として例示しており、銘柄コード「××××」の銘柄名を「×××」として例示しており、銘柄コード「○○○○」と銘柄名「○○○」が変換テーブルで対応付けられており、銘柄コード「△△△△」と銘柄名「△△△」が変換テーブルで対応付けられており、銘柄コード「××××」と銘柄名「×××」が変換テーブルで対応付けられているものとする。
【０１１４】
また、例えば顧客の端末装置１０に表示された図１４（Ａ）の注文入力画面の注文条件入力欄２０７ａにおいて、顧客が銘柄名「○○○」に対応付けて表示された当該銘柄の株式売買注文の売買区分の入力欄に売買区分を選択して入力し、当該銘柄の株式売買注文の注文数量の入力欄に注文数量を入力し、当該銘柄の株式売買注文の注文値段の入力欄に注文値段を入力し、当該銘柄の株式売買注文の発注ボタンをクリック操作することにより、端末装置１０は当該銘柄名「○○○」並びに入力欄に入力された売買区分、注文数量及び注文値段と、発注要求と顧客の顧客ＩＤを、注文処理装置１００に送信するようになっている。
また、例えば顧客の端末装置１０に表示された図１４（Ａ）の注文入力画面の注文条件入力欄２０７ｂにおいて、顧客が注文銘柄の銘柄識別情報入力欄に銘柄名「○○○」を入力し、当該銘柄識別情報入力欄に対応付けて表示された当該株式売買注文の売買区分の入力欄に売買区分を選択して入力し、当該株式売買注文の注文数量の入力欄に注文数量を入力し、当該株式売買注文の注文値段の入力欄に注文値段を入力し、当該株式売買注文の発注ボタンをクリック操作することにより、端末装置１０は当該銘柄名「○○○」並びに入力欄に入力された売買区分、注文数量及び注文値段と、発注要求と顧客の顧客ＩＤを、注文処理装置１００に送信するようになっている。
【０１１５】
図１４（Ａ）に示す注文入力画面が、図１７のフローチャートのステップＳ５８で顧客の端末装置１０に表示されるようにするため、例えば図１７のフローチャートのステップＳ５２〜Ｓ５６において、注文処理装置１００の注文入力画面データ送信部１２０は、注文入力画面の送信要求及び顧客ＩＤを顧客の端末装置１０から受信すると、受信した当該顧客ＩＤに対応付けて積算表示時間格納部１３８に格納されている銘柄コードと当該銘柄コードが示す銘柄の個別株式情報の積算表示時間を積算表示時間格納部１３８から読み出し（ステップＳ５２）、読み出した銘柄コードを変換テーブルにより銘柄名に変換して当該銘柄名を積算表示時間の長い順に所定の銘柄数について表形式で表す表示欄と当該銘柄名の銘柄を注文銘柄とする株式売買注文についての銘柄以外の注文条件を入力する入力欄からなる第１の注文条件入力欄２０７ａと銘柄を含む注文条件を入力する入力欄からなる第２の注文条件入力欄２０７ｂとを有する注文条件入力欄２０７が設けられた注文入力画面を端末装置１０に表示するための注文入力画面データを生成し（ステップＳ５４）、生成した注文入力画面データを顧客の端末装置１０に送信する（ステップＳ５６）構成としてもよい。
【０１１６】
図１４（Ｂ）は、図１７のフローチャートのステップＳ５８において、顧客の端末装置１０に表示される注文入力画面の第２の例を示す説明図である。図１４（Ｂ）の注文入力画面は、銘柄以外の注文条件を顧客が入力するための注文条件入力欄２０７ａ，２０７ｃと、銘柄を含む注文条件を顧客が入力するための注文条件入力欄２０７ｂを有しており、注文条件入力欄２０７ｂには銘柄名又は銘柄コードからなる銘柄識別情報を入力するための銘柄識別情報入力欄が設けられている。注文条件入力欄２０７ａ，２０７ｂ，２０７ｃには、売買区分を選択するためのプルダウンメニューを用いた売買区分入力欄と、注文数量を入力するための注文数量入力欄と、注文値段を入力するための注文値段入力欄と、発注要求を出すための発注ボタンが設けられており、注文値段入力欄では、指値注文を指定するとともに注文単価（指値）を入力するための注文単価入力欄と、成行注文を指定するためのチェックボタンからなる成行指定入力欄が設けられている。注文条件入力欄２０７ａの銘柄名の表示欄は、図１６の積算表示時間格納部１３８の格納データに示すように、積算表示時間の長い銘柄コードの銘柄名が積算表示時間の長い順に表示画面の上側から順に表形式で表しており、単一銘柄よりも複数銘柄を表示することが望ましい。なお、銘柄コード「○○○○」の銘柄名を「○○○」として例示しており、銘柄コード「△△△△」の銘柄名を「△△△」として例示しており、銘柄コード「××××」の銘柄名を「×××」として例示しており、銘柄コード「○○○○」と銘柄名「○○○」が変換テーブルで対応付けられており、銘柄コード「△△△△」と銘柄名「△△△」が変換テーブルで対応付けられており、銘柄コード「××××」と銘柄名「×××」が変換テーブルで対応付けられているものとする。
【０１１７】
また、図１４（Ｂ）の注文入力画面で注文条件入力欄２０７ｃの銘柄名の表示欄に表示された銘柄名は、積算表示時間格納部１３８で顧客ＩＤに対応付けられた最新アクセス時刻のうちで最も新しい時刻である銘柄コードに対応する銘柄名となっており、（一例として図１６の積算表示時間格納部１３８で顧客ＩＤ「Ｕ００１」に対応付けられた最新アクセス時刻のうち最も新しい時刻は２００６年△月△日△時△分となっており、その銘柄コード「△△△△」に対応する銘柄名は「△△△」となっており）、注文入力画面データ生成部１２０は、顧客ＩＤをキーとして用いることで積算表示時間格納部１３８で顧客の顧客ＩＤに対応付けて格納された銘柄コード及び最新アクセス時刻から顧客が直近に個別株式情報の送信要求を出した銘柄の銘柄コードを検出できるようになっている。なお、図１４（Ｂ）の注文入力画面における株式売買注文の注文条件の入力方法は、図１４（Ａ）の注文入力画面の場合と同様であるため、その説明を省略する。
【０１１８】
図１４（Ｂ）に示す注文入力画面が、図１７のフローチャートのステップＳ５８で顧客の端末装置１０に表示されるようにするため、例えば図１７のフローチャートのステップＳ５２〜Ｓ５６において、注文処理装置１００の注文入力画面データ送信部１２０は、注文入力画面の送信要求及び顧客ＩＤを顧客の端末装置１０から受信すると、受信した当該顧客ＩＤに対応付けて積算表示時間格納部１３８に格納されている銘柄コードと当該銘柄コードが示す銘柄の個別株式情報の積算表示時間と当該個別株式情報への最新アクセス時刻を積算表示時間格納部１３８から読み出し（ステップＳ５２）、読み出した銘柄コードを変換テーブルにより銘柄名に変換し、変換した当該銘柄名を積算表示時間の長い順に所定の銘柄数について表形式で表す表示欄と当該銘柄名の銘柄を注文銘柄とする株式売買注文についての銘柄以外の注文条件を入力する入力欄からなる第１の注文条件入力欄２０７ａと銘柄を含む注文条件を入力する入力欄からなる第２の注文条件入力欄２０７ｂと個別株式情報への最新アクセス時刻が最新の時刻である銘柄の銘柄名の表示欄と当該銘柄の注文銘柄とする株式売買注文についての銘柄以外の注文条件を入力する入力欄からなる第３の注文条件入力欄２０７ｃとを有する注文条件入力欄２０７が設けられた注文入力画面を端末装置１０に表示するための注文入力画面データを生成し（ステップＳ５４）、生成した注文入力画面データを顧客の端末装置１０に送信する（ステップＳ５６）構成としてもよい。
【０１１９】
このように、図１５に示す第５の実施形態に係る注文処理装置１００によれば、顧客は端末装置１０に表示された注文入力画面で顧客の個別株式情報のアクセス履歴という当該顧客独自の情報を勘案して株式売買注文の注文条件を設定することができる利点がある。また、注文入力画面では顧客が銘柄情報ＤＢ１３２の個別株式情報を表示する積算表示時間が長い銘柄の銘柄名が注文銘柄の銘柄名とされているので、積算表示時間の短い銘柄に比べて注文銘柄の銘柄識別情報を入力する手間を省くことができる。これにより、顧客は、個別株式情報の積算表示時間が長い銘柄すなわち顧客の関心の高い銘柄につき、積算表示時間が短い銘柄すなわち顧客の関心の低い銘柄に比べて、株式売買注文の注文条件を入力する手間を減らすことができ、迅速に株式売買注文を出すことが可能となる。
【０１２０】
上記第５の実施形態の変形例として、注文入力画面データ送信部１２０は、株式売買注文の売買区分と注文入力画面の送信要求と顧客の顧客ＩＤを顧客の端末装置１０から受け取り、受け取った顧客ＩＤに対応付けて積算表示時間格納部１３８に格納されている銘柄コードと当該銘柄コードが示す銘柄の個別株式情報の積算表示時間とに基づき、積算表示時間が長いほうの銘柄コードの銘柄を注文銘柄とする上記売買区分の株式売買注文についての売買区分及び銘柄識別情報以外の注文条件の入力欄を有する注文入力画面を端末装置１０に表示するための注文入力画面データを生成し、生成した当該注文入力画面データを顧客の端末装置１０に送信して注文入力画面を表示させ、発注処理部１２２は、注文入力画面の上記入力欄に顧客により入力された当該注文銘柄の株式売買注文の注文条件と当該株式売買注文の売買区分及び銘柄識別情報と発注要求と顧客の顧客ＩＤを顧客の端末装置１０から受け取り、受け取った当該注文銘柄の株式売買注文の注文条件と当該株式売買注文の売買区分及び銘柄識別情報を含む注文入力電文を証券取引所に送信することにより株式売買注文の発注処理を行う構成としてもよい。
【０１２１】
第５の実施形態の変形例に係る注文入力画面の一例としては、注文入力画面は売買区分及び銘柄以外の注文条件を顧客が入力するための注文条件入力欄２０７ａと、売買区分以外の注文条件を顧客が入力するための注文条件入力欄２０７ｂと、顧客の端末装置１０から注文入力画面の送信要求とともに受け取った株式売買注文の売買区分を示す売買区分表示欄を有しており、注文条件入力欄２０７ｂには銘柄名又は銘柄コードからなる銘柄識別情報を入力するための銘柄入力欄が設けられている。注文条件入力欄２０７ａ，２０７ｂには、注文数量を入力するための注文数量入力欄と、注文値段を入力するための注文値段入力欄と、発注要求を出すための発注ボタンが設けられており、注文値段入力欄では、指値注文を指定するとともに注文単価（指値）を入力するための注文単価入力欄と、成行注文を指定するためのチェックボタンからなる成行指定入力欄が設けられている。注文条件入力欄２０７ａの銘柄名の表示欄は、積算表示時間格納部１３８の格納データに基づいて積算表示時間の長い銘柄コードの銘柄名が積算表示時間の長い順に表示画面の上側から順に表形式で表すものであり、単一銘柄よりも複数銘柄を表示することが望ましい。例えば顧客の端末装置１０に表示された注文入力画面の注文条件入力欄２０７ａにおいて、顧客が銘柄名「○○○」に対応付けて表示された当該銘柄の株式売買注文の注文数量の入力欄に注文数量を入力し、当該銘柄の株式売買注文の注文値段の入力欄に注文値段を入力し、当該銘柄の株式売買注文の発注ボタンをクリック操作することにより、端末装置１０は当該銘柄名「○○○」及び当該株式売買注文の売買区分並びに入力欄に入力された注文数量及び注文値段と、発注要求と顧客の顧客ＩＤを、注文処理装置１００に送信するようになっている。
【０１２２】
第５の実施形態の変形例に係る注文入力画面が、図１７のフローチャートのステップＳ５８で顧客の端末装置１０に表示されるようにするため、例えば図１７のフローチャートのステップＳ５０〜Ｓ５６において、顧客の端末装置１０は、株式売買注文の売買区分と注文入力画面の送信要求と顧客の顧客ＩＤを注文処理装置１００に送信し（ステップＳ５０）、一例として顧客は端末装置１０でブラウザにより証券会社のウェブページ（ホームページ）を画面表示し、表示されたホームページで買注文又は売注文の株式売買注文を行うためのウェブサイトにジャンプする表示ボタンをマウスでクリック操作することで、端末装置１０から当該買注文又は売注文に対応する売買区分と顧客ＩＤと注文入力画面の送信要求が注文処理装置１００に送信されるようにしてもよく、顧客の端末装置１０は当該顧客の顧客ＩＤをブラウザの記憶手段に記憶して注文処理装置１００へのアクセス毎に当該顧客の顧客ＩＤを自動的に注文処理装置１００に送信する構成としてもよい。注文処理装置１００の注文入力画面データ送信部１２０は、株式売買注文の売買区分、注文入力画面の送信要求及び顧客ＩＤを顧客の端末装置１０から受信すると、受信した当該顧客ＩＤに対応付けて積算表示時間格納部１３８に格納されている銘柄コードと当該銘柄コードが示す銘柄の個別株式情報の積算表示時間を積算表示時間格納部１３８から読み出し（ステップＳ５３）、読み出した銘柄コードを変換テーブルにより銘柄名に変換して当該銘柄名を積算表示時間の長い順に所定の銘柄数について表形式で表す表示欄と当該銘柄名の銘柄を注文銘柄とする上記売買区分の株式売買注文についての売買区分及び銘柄以外の注文条件を入力する入力欄からなる第１の注文条件入力欄２０７ａと売買区分以外の注文条件を入力する入力欄からなる第２の注文条件入力欄２０７ｂとを有する注文条件入力欄２０７と顧客の端末装置１０から注文入力画面の送信要求とともに受け取った株式売買注文の売買区分を示す売買区分表示欄が設けられた注文入力画面を端末装置１０に表示するための注文入力画面データを生成し（ステップＳ５４）、生成した注文入力画面データを顧客の端末装置１０に送信する（ステップＳ５６）構成としてもよい。
【０１２３】
第５の実施形態に係る注文入力画面の他の例としては、注文入力画面は複数の株式売買注文の注文条件を入力するための入力欄を有し、注文入力画面データ送信部１２０は、注文入力画面データを顧客の端末装置１０に送信し、複数の株式売買注文の注文条件を入力するための入力欄のうち銘柄識別情報の入力欄に、積算表示時間の長い順の複数の銘柄識別情報が積算表示時間の長い順に表示画面の上側の入力欄から順に入力された注文入力画面であって、複数の株式売買注文の注文条件を入力するための入力欄のうち売買区分の入力欄に、顧客の端末装置１０から注文入力画面の送信要求とともに受け取った株式売買注文の売買区分が入力された注文入力画面を、顧客の端末装置１０に表示させるようにしてもよい。
【０１２４】
なお、本発明は上述した実施形態に限定されるものではなく、本発明の主旨を逸脱しない範囲内で種々変更して実施することが可能である。
【図面の簡単な説明】
【０１２５】
【図１】本発明の実施形態に係る注文処理装置１００を含むシステムの概要を示す概略図である。
【図２】本発明の第１の実施形態に係る注文処理装置１００の構成例を示すブロック図である。
【図３】売買履歴ＤＢ１１２に格納される売買履歴データを例示する説明図である。
【図４】本発明の第１の実施形態において、注文処理装置１００と顧客の端末装置１０で行われる処理動作を例示するフローチャートである。
【図５】本発明の第１の実施形態において、顧客の端末装置１０に表示される銘柄選択画面の一例を示す説明図である。
【図６】本発明の第１の実施形態において、顧客の端末装置１０に表示される注文入力画面の一例を示す説明図である。
【図７】本発明の第２の実施形態に係る注文処理装置１００の構成例を示すブロック図である。
【図８】本発明の第２の実施形態において、顧客の端末装置１０に表示される銘柄選択画面の一例を示す説明図である。
【図９】本発明の第３の実施形態において、注文処理装置１００と顧客の端末装置１０で行われる処理動作を例示するフローチャートである。
【図１０】本発明の第３の実施形態において、顧客の端末装置１０に表示される銘柄選択画面の一例を示す説明図である。
【図１１】本発明の第４の実施形態に係る注文処理装置１００の構成例を示すブロック図である。
【図１２】アクセス回数格納部１３６に格納されるデータを例示する説明図である。
【図１３】本発明の第４の実施形態において、注文処理装置１００と顧客の端末装置１０で行われる処理動作を例示するフローチャートである。
【図１４】本発明の第４の実施形態において、顧客の端末装置１０に表示される注文入力画面の一例を示す説明図である。
【図１５】本発明の第５の実施形態に係る注文処理装置１００の構成例を示すブロック図である。
【図１６】積算表示時間格納部１３８に格納されるデータを例示する説明図である。
【図１７】本発明の第５の実施形態において、注文処理装置１００と顧客の端末装置１０で行われる処理動作を例示するフローチャートである。
【符号の説明】
【０１２６】
１０…端末装置、１００…注文処理装置、１１０…銘柄選択画面データ送信部、１１２…売買履歴格納部（売買履歴ＤＢ）、１１２Ａ…第１の売買履歴格納部、１１２Ｂ…第２の売買履歴格納部、１２０…注文入力画面データ送信部、１２２…発注処理部、１３０…個別株式情報送信部、１３２…銘柄情報データベース（銘柄情報ＤＢ）、１３４…直近提供銘柄格納部、１３６…アクセス回数格納部、１３７…表示時間計測部、１３８…積算表示時間格納部、２００…売買システム。
【図１】
2007272522.tif 000003
【図２】
2007272522.tif 000004
【図３】
2007272522.tif 000005
【図４】
2007272522.tif 000006
【図５】
2007272522.tif 000007
【図６】
2007272522.tif 000008
【図７】
2007272522.tif 000009
【図８】
2007272522.tif 000010
【図９】
2007272522.tif 000011
【図１０】
2007272522.tif 000012
【図１１】
2007272522.tif 000013
【図１２】
2007272522.tif 000014
【図１３】
2007272522.tif 000015
【図１４】
2007272522.tif 000016
【図１５】
2007272522.tif 000017
【図１６】
2007272522.tif 000018
【図１７】
2007272522.tif 000019